【手続補正書】
【提出日】平成18年12月29日(2006.12.29)
【手続補正１】
【補正対象書類名】明細書
【補正対象項目名】全文
【補正方法】変更
【補正の内容】
【書類名】明細書
【発明の名称】  
簡易テーブル
【特許請求の範囲】
【請求項１】
それぞれが折部で区切られてなる、ハンドル上に支持されるハンドル支持・寄り掛け部、このハンドル支持・寄り掛け部の下部に設けられたテーブル下支持部、このテーブル下支持部によりテーブル状態を下方から支持されるテーブル部、このテーブル部の前記テーブル状態を前記ハンドル支持・寄り掛け部に係わって支持するためのテーブル上支持部とからなるテーブル本体と、
前記ハンドル支持・寄り掛け部の上部に設けられた、ハンドルの上部の一部を略潜らせて該ハンドル支持・寄り掛け部を該ハンドル上に係止支持するためのハンドル略潜らせ係止部とからなることを特徴とする簡易テーブル。
【請求項２】
ハンドル支持・寄り掛け部にテーブル部のテーブル状態を保持するための片挿入部を設け、テーブル部の一部に片挿入部に挿入され且つ前記ハンドル支持・寄り掛け部とハンドルに直接に間接に略挟まれて前記テーブル部の該ハンドル支持・寄り掛け部からの離れが起きないようにするためのテーブル上支持部である上部挿入片を設けてなることを特徴とする請求項１記載の簡易テーブル。
【請求項３】
テーブル下支持部の根元側に上部挿入片を挿入する片挿入部を設け、前記テーブル支持部を腿に載せた状態において前記片挿入部から挿入され下方に突き出した前記上部挿入片が腿で挟むことができるようにしてなることを特徴とする請求項２記載の簡易テーブル。
【請求項４】
ハンドル上に支持されるハンドル支持・寄り掛け部、このハンドル支持・寄り掛け部に連絡された該ハンドル支持・寄り掛け部上に重なるテーブル上支持部である重なり部、この重なり部に連絡されたテーブル部、このテーブル部に折部で連絡された該テーブル部のテーブル状態を下方から支持するテーブル下支持部とからなるテーブル本体と、
前記ハンドル支持・寄り掛け部に設けられた下片挿入部と、
前記テーブル下支持部に設けられた前記下片挿入部に挿入されて該テーブル下支持部を支持する下部挿入片とからなることを特徴とする簡易テーブル。
【請求項５】
ハンドル上に支持されるハンドル支持・寄り掛け部、このハンドル支持・寄り掛け部に連絡された該ハンドル支持・寄り掛け部上に重なるテーブル上支持部である重なり部、この重なり部に連絡されたテーブル部、前記ハンドル支持・寄り掛け部に折部で連絡された該テーブル部のテーブル状態を下方から支持するテーブル下支持部とからなるテーブル本体と、
前記テーブル部に設けられた片挿入部と、
前記テーブル下支持部に設けられた前記片挿入部に挿入されて前記テーブル部をテーブル状態に支持する挿入片とからなることを特徴とする簡易テーブル。
【請求項６】
ハンドル上に支持されるハンドル支持・寄り掛け部と、
このハンドル支持・寄り掛け部の左右側の対向する部位をカットして設けた左右の片挿入部と、
前記ハンドル支持・寄り掛け部に折部で連絡され設けられたテーブル下支持部と、
このテーブル下支持部に折り部で連絡され該テーブル下支持部で下方から支持されてテーブル状態となるテーブル部と、
このテーブル部に折り部で連絡して設けられたテーブル支持部と、
このテーブル支持部の左右側部に設けられた左右の片挿入部に折り入れられ且つハンドル支持・寄り掛け部の後ろ側に横向きに折りまわされる左右の上部挿入片とからなることを特徴とする簡易テーブル。
【請求項７】
ハンドル上に支持されるハンドル支持・寄り掛け部と、
このハンドル支持・寄り掛け部の左側および右側あるいはいずれか一方側に設けられた片挿入部と、
前記ハンドル支持・寄り掛け部に折部で連絡され設けられたテーブル下支持部と、
このテーブル下支持部に折り部で連絡され該テーブル下支持部で下方から支持されてテーブル状態となるテーブル部と、
このテーブル部に折り部で連絡して左側および右側あるいはいずれか一方側に設けられた、前記片挿入部に折り入れられ且つハンドル支持・寄り掛け部の後ろ側に縦向きで折りまわされる上部挿入片とからなることを特徴とする簡易テーブル。
【請求項８】
ハンドル支持・寄り掛け部の側部両側に対向するように設けられた切り込みが設けられ、前記切り込みに紐が掛けられて形成されたハンドル略潜らせ係止部が設けられてなることを特徴とする請求項１〜７いずれか記載の簡易テーブル。
【請求項９】
ハンドル支持・寄り掛け部の上部に孔からなるハンドル略潜らせ係止部を設けてなることを特徴とする請求項１〜８いずれか記載の簡易テーブル。
【請求項１０】
ハンドル支持・寄り掛け部、テーブル下支持部、テーブル部が一枚の略長方形形状のダンボール製板部材で一体形成されてなることを特徴とする請求項１〜９いずれか記載の簡易テーブル。
【請求項１１】
タレントや歌手などの表象を含む広告等を施してなることを特徴とする請求項１〜１０いずれか記載の簡易テーブル。
【発明の詳細な説明】
【０００１】
【発明の属する技術分野】
本発明は主に自動車のハンドルに装着して使用するのに適した簡易テーブルに関する。
【０００２】
【従来技術】
従来、
（１）特開２００１−７１８１８（自動車のハンドル等に装着するテーブル部）の図１１に、
折部で区切られたハンドル支持・寄り掛け部、テーブル下支持部、テーブル部、テーブル上支持部の順に設けられたダンボール製板部材からなるテーブル本体と、
前記ハンドル支持・寄り掛け部の上部に設けられたハンドル上固定用面ファスナー付のハンドル支持上部ゴムバンドと、
前記ハンドル支持・寄り掛け部の表上部に設けられたハンドルの上部に巻いたハンドル上固定バンドの前記ハンドル上固定用面ファスナーを係止するための上部バンド係止面ファスナーと、
前記ハンドル支持・寄り掛け部の下部に設けられたハンドル下固定用面ファスナー付のハンドル支持下部ゴムバンドと、
前記ハンドル支持・寄り掛け部の表下部に設けられたハンドルの下部に巻いた前記ハンドル支持下部バンドの前記ハンドル下固定用面ファスナーを係止するための下部ハンドル係止面ファスナーと、
前記テーブル上支持部の二箇所に設けられた前記テーブル部のテーブル状態を固定するための二本のテーブル部側面ファスナーと、
このテーブル部側面ファスナーが係止されて前記テーブル部のテーブル状態が保持されるようにするための前記ハンドル支持・寄り掛け部の左右二箇所に設けられた二本のテーブル部保持面ファスナーと、
テーブル部の低部にテーブル下支持部を一部接着してなる上部重ね部と、
テーブル下支持部をハンドル支持・寄り掛け部を一部接着してなる下部重ね部と、
からなる技術が開示されている。
（２）特開平１１−３２１４６７（車両用多機能保持台）に、「ハンドルに掛ける取付け部材（ハンドル支持部）と、該取付け部材に回動自在に設けられたテーブルを形成する載置部材（テーブル部）と、取付け部材の背部にハンドルの上部が填まる填まり部を形成して接着などにより固定されたバンド部材からなる取付け手段とからなる車両用多機能保持台」の技術が開示されている。
【０００３】  
【０００４】  
【発明が解決しようとする課題】
前述した従来技術のうち特開２００１−７１８１８（自動車のハンドル等に装着するテーブル部）は、
テーブル本体、
ハンドル上固定用面ファスナー、
ハンドル支持上部ゴムバンド、
上部バンド係止面ファスナー、
ハンドル下固定用面ファスナー、
ハンドル支持下部ゴムバンド、
下部バンド係止面ファスナー、
二本のテーブル部側面ファスナー、
二本のテーブル部保持面ファスナー、
という１１個の部品を用いており、この１１部品にかかるコストとともに、各部品をテーブル本体に取付けるための製造工程や作業が必要であるので、全体としたコスト高な簡易テーブルになり、ノベルティー製品などの安価の製品にでき難いという欠点があった。
特に、ハンドルには取り付けて使用できるが、助手席や後部座席では使用できない、あるいは後部座席においては面倒な前座席背部への取り付け取り外し操作が必要で面倒であるという欠点があった。
【０００５】
ハンドルのエアーバック収納部などの内側部位がハドル面より上に突出しているものについては、該内側部位がハンドル取付け部材裏側に当り、テーブルの支持使用が大変不安体になる、内側部位がクラクションの場合は、過重をかけた拍子にクラクションが鳴ってしまうという欠点を有するものであった。
また、種類の違う複数の部品から構成されているので、廃棄の際には分別をしなければならない、環境と処理経費に高負担を強いる製品になるという欠点があった。
また、上部と下部のゴムバンドをハンドルに巻いて面ファスナーで係止する構造であるので、ハンドルへの着脱が煩雑で面倒であるという欠点があった。
また、テーブル部をテーブル状態にハンドル支持・寄り掛け部に動かないように支持するのに、面ファスナーを接着して使用するためにコスト高になるという欠点があった。
また、ハンドル用テーブル以外の有効な機能を持たないという欠点があった。
また、テーブル本体が１００センチ程度の長さと、嵩張り感があり且つ本体材料コストが高くなるという欠点があった。
（２） 前述した従来技術のうち特開平１１−３２１４６７（車両用多機能保持台
公開日１１月２４日）は、ハンドルのエアーバック収納部などの内側部位がハドル面より上に突出しているものについては、該内側部位がハンドル取付け部材裏側に当り、テーブルの支持使用が大変不安体になる、内側部位がクラクションの場合は、過重をかけた拍子にクラクションが鳴ってしまうという欠点を有するものであった。
また、バンドはコストが掛かり且つ取付けにも工程が掛かるのでコスト高になるという欠点を有していた。
【０００６】
本発明は以上のような従来の欠点に鑑み、ハンドル係止しあるいはハンドルに寄り掛けるなどして使用でき且つ助手席および後部座席でも面倒な取り付け操作を要せず使用でき、さらに部品点数が少なく且つ製造工程や作業工程の少ない安価なものを製造可能とする構成の簡易テーブルを提供することを目的としている。
また本発明の他の目的は、ハンドル以外の助手席が後部座席でのテーブルとしての使用ができ且つ簡易テーブル以外の車内での有効使用ができる簡易テーブルを提供するにある。
また本は発明の他の目的は、自動車ハンドルへのテーブルの取付けが極めて低コストで容易に行え且つ傾き調節やハンドルとの間の隙間形成が低コストの部材を使用して容易に行える簡易テーブルを提供することを目的としている。
また本発明の他の目的は、自動車ハンドルへの支持状態が安定しており且つ、自動車ハンドルへの着脱が極めて容易で且つ敏速に行うことができる簡易テーブルを提供するにある。
また本発明の他の目的は、廃棄の際に環境や処理経費に低負担の簡易テーブルを提供するにある。
また本発明の他の目的は、テーブル部をハンドル支持・寄り掛け部に動かないように支持するのに、面ファスナーなどの他の部品を使用せずに行うコスト高とならない簡易テーブルを提供するにある。
また本発明の他の目的は、少ないテーブル本体部材で形成でき、嵩張り感を少なくした簡易テーブルを提供するにある。
【０００７】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲を限定するものではない。
【０００８】  
【課題を解決するための手段】
上記目的を達成するために本発明はいかに述べるようになっている。
＜請求項１記載の発明＞
それぞれが折部で区切られてなる、ハンドル上に支持されるハンドル支持・寄り掛け部、このハンドル支持・寄り掛け部の下部に設けられたテーブル下支持部、このテーブル下支持部によりテーブル状態を下方から支持されるテーブル部、このテーブル部の前記テーブル状態を前記ハンドル支持・寄り掛け部に係わって支持するためのテーブル上支持部とからなるテーブル本体と、前記ハンドル支持・寄り掛け部の上部に設けられた、ハンドルの上部の一部を略潜らせて該ハンドル支持・寄り掛け部を該ハンドル上に係止支持するためのハンドル略潜らせ係止部とでる簡易テーブルを構成している。
【０００９】  
＜請求項２記載の発明＞
請求項１記載の発明の構成において、ハンドル支持・寄り掛け部にテーブル部のテーブル状態を保持するための片挿入部を設け、テーブル部の一部に片挿入部に挿入され且つ前記ハンドル支持・寄り掛け部とハンドルに直接に間接に略挟まれて前記テーブル部の該ハンドル支持・寄り掛け部からの離れが起きないようにするためのテーブル上支持部である上部挿入片を設けてなる簡易テーブルを構成している。
【００１０】  
＜請求項３記載の発明＞
請求項２記載の発明の構成において、テーブル下支持部の根元側に上部挿入片を挿入する片挿入部を設け、前記テーブル支持部を腿に載せた状態において前記片挿入部から挿入され下方に突き出した前記上部挿入片が腿で挟むことができるようにしてなる簡易テーブルを構成している。
【００１１】  
＜請求項４記載の発明＞
ハンドル上に支持されるハンドル支持・寄り掛け部、このハンドル支持・寄り掛け部に連絡された該ハンドル支持・寄り掛け部上に重なるテーブル上支持部である重なり部、この重なり部に連絡されたテーブル部、このテーブル部に折部で連絡された該テーブル部のテーブル状態を下方から支持するテーブル下支持部とからなるテーブル本体と、前記ハンドル支持・寄り掛け部に設けられた下片挿入部と、前記テーブル下支持部に設けられた前記下片挿入部に挿入されて該テーブル下支持部を支持する下部挿入片とで簡易テーブルを構成している。
【００１２】  
＜請求項５記載の発明＞
ハンドル上に支持されるハンドル支持・寄り掛け部、このハンドル支持・寄り掛け部に連絡された該ハンドル支持・寄り掛け部上に重なるテーブル上支持部である重なり部、この重なり部に連絡されたテーブル部、前記ハンドル支持・寄り掛け部に折部で連絡された該テーブル部のテーブル状態を下方から支持するテーブル下支持部とからなるテーブル本体と、前記テーブル部に設けられた片挿入部と、前記テーブル下支持部に設けられた前記片挿入部に挿入されて前記テーブル部をテーブル状態に支持する挿入片とで簡易テーブルを構成している。
【００１３】  
＜請求項６記載の発明＞
ハンドル上に支持されるハンドル支持・寄り掛け部と、このハンドル支持・寄り掛け部の左右側の対向する部位をカットして設けた左右の片挿入部と、前記ハンドル支持・寄り掛け部に折部で連絡され設けられたテーブル下支持部と、このテーブル下支持部に折り部で連絡され該テーブル下支持部で下方から支持されてテーブル状態となるテーブル部と、このテーブル部に折り部で連絡して設けられたテーブル支持部と、このテーブル支持部の左右側部に設けられた左右の片挿入部に折り入れられ且つハンドル支持・寄り掛け部の後ろ側に横向きに折りまわされる左右の上部挿入片とからなる簡易テーブルを構成している。
【００１４】  
＜請求項７記載の発明＞
ハンドル上に支持されるハンドル支持・寄り掛け部と、このハンドル支持・寄り掛け部の左側および右側あるいはいずれか一方側に設けられた片挿入部と、前記ハンドル支持・寄り掛け部に折部で連絡され設けられたテーブル下支持部と、このテーブル下支持部に折り部で連絡され該テーブル下支持部で下方から支持されてテーブル状態となるテーブル部と、このテーブル部に折り部で連絡して左側および右側あるいはいずれか一方側に設けられた、前記片挿入部に折り入れられ且つハンドル支持・寄り掛け部の後ろ側に縦向きで折りまわされる上部挿入片と簡易テーブルを構成している。
【００１５】  
＜請求項８記載の発明＞
請求項１〜７いずれか記載の発明の構成において、ハンドル支持・ハンドル支持・寄り掛け部の側部両側に対向するように設けられた切り込みが設けられ、前記切り込みに紐が掛けられて形成されたハンドル略潜らせ係止部が設けられてなる簡易テーブルを構成している。
【００１６】  
＜請求項９記載の発明＞
請求項１〜８いずれか記載の発明の構成において、ハンドル支持・寄り掛け部の上部に孔からなるハンドル略潜らせ係止部を設けてなる簡易テーブルを構成している。
【００１７】  
＜請求項１０記載の発明＞
請求項１〜９いずれか記載の発明の構成において、ハンドル支持・寄り掛け部、テーブル下支持部、テーブル部が一枚の略長方形形状のダンボール製板部材で一体形成されてなる簡易テーブルを構成している。
【００１８】  
＜請求項１１記載の発明＞
請求項１〜１０いずれか記載の発明の構成において、タレントや歌手などの表象を含む広告等を施してなる簡易テーブルを構成している。
【００１９】  
【００２０】  
【００２１】  
【００２２】  
【００２３】  
【００２４】  
【００２５】  
【００２６】  
【００２７】  
【００２８】  
【発明の実施の形態】
以下、図面に示す実施の形態により、本発明を詳細に説明する。
【００２９】  
図１ないし図６に示す本発明の実施の形態において１は簡易テーブルであってこの簡易テーブル１は展開図である図１の状態からみて、ハンドル上に支持されるハンドル支持・寄り掛け部２、このハンドル支持・寄り掛け部２の下部に折部３で区切られ連絡設けられたテーブル下支持部４、このテーブル下支持部４の下部に折部５で区切られ連絡された該４によりテーブル状態を下方から支持される該４よりも少し短い幅のテーブル部６、このテーブル部６のテーブル状態をハンドル支持・寄り掛け部２に係わって支持するためのテーブル部６の下部に折部７で区切られ連絡設けられたテーブル上支持部８とからなるテーブル本体９と、ハンドル支持・寄り掛け部２の上部に設けられた、ハンドルＡの上部の一部を略潜らせてハンドル支持・寄り掛け部２をハンドルＡ上に略下げるように係止支持するためのハンドル略潜らせ係止部１０を形成する、使用者が結び調節する紐１１を取付けるための切り込み１２、１３と、ハンドル支持・寄り掛け部２にテーブル部６のテーブル状態を保持するための上下に間隔を空けて設けた片挿入部１４、１５と、ハンドル支持・寄り掛け部２に重なる重なり部であるテーブル上部支持部８の略中央に根元側に折部１６を設けてなる片挿入部１４ないし１５に挿入され且つハンドル支持・寄り掛け部２とハンドルＡの間に略挟まれて（一部がハンドルに当接して折れ状態が保持され、テーブル部のテーブル状態を維持できる状態を含む。）、テーブル部６のテーブル状態を支持し且つ該６がハンドル支持・寄り掛け部２から離れないようにするための上部挿入片１７とからなっている。
表面１８の表面には、リン酸ジルコニュームが酸化チタン粒子に島状に担持されたコンペイト形態の光触媒粒子がパルプ繊維に多数担持されて且つ墨などの炭素系素材などにより濃い灰色から略黒色になっている。
【００３０】
図２および図４において、切り込み１２、１３に紐１１を挟持取付け、後ろ側で結束してハンドル略潜らせ係止部１０を形成し、上部挿入片１７を片挿入部１４あるいは１５に挿入し、ハンドル略潜らせ係止部１０にハンドルＡの上部を潜らせハンドルＡに係止する。
図５において、表面１８を表側になるように折部３で二つ折りにした状態にでき、この状態で助手席に置いたり、適当なところに挟み置いたり、フロントに置くことが容易にできる。
図６において、表面１８を上にしてハンドルＡとフロントにかけて覆い被せて、ハンドルＡおよびフロントに太陽光線が直接当たるのを防ぐように使用している。フロント略全体を覆うことも、フロントに立てかけてフロントガラス側からの太陽光線の車内への入射を阻止したりすることもできる。
テーブル本体９の幅は３９センチ程度にしてハンドルＡ全体を覆う幅となっている。テーブル本体９の長さは１０６センチ程度にしてある。
こうした表面１８を表にしてフロント側に広げ置くことにより、太陽光線が大量に光触媒にあたり、光触媒機能を活発にして車内の有害ガスや臭気ガスを参加し無害化／無臭化してクリーンな車内にして行く。
切り込み１２、１３以外にハンドルへの取付高さを選べる他の切込みを設けておくのが良い。
ハンドル支持・寄り掛け部の上部は略湾曲形態にしたり、瓶や、動物や、マークなどの何らかのものを表現する形態とするなどもよい。
上部挿入片１７の両側に形成されている重なり部１９、２０の根元側に前方に折出せるようにして、雑誌を下部で支持し且つページが開かないように係止する本支持部（図示せず）を設けるのがよい。
コンビニで弁当など買い雑誌を買って、冷暖房の車内で雑誌を見ながら弁当をテーブル部に置き、好きな音楽やニュースを聴き観ながら快適な時間を過ごすことができる。
また、図３のごとく、車を停車させ即座にハンドルテーブル部を形成し、ノートパソコンをおいて操作ができるなど、車中での仕事などの処理を快適にこなすための便利な機能が発揮される。
テーブル本体をダンボール製とすることにより、一回打ち抜きの２部品からなる極めて安価な、ノベルティーとしても最適な簡易テーブルを実現している。
また、図７４、図７５に示すような使用もでき、運転手のみならず、助手席者、後部座席者も腿において簡易テーブルとして使用できるものである。
この場合、上部挿入片１７は片挿入部１４、該１４のさらに下方あるいはテーブル下支持部４に設けた片挿入部に挿入下げることにより、腿（膝）の間に上部挿入片１７を挟む支持することができるので、腿上の簡易テーブルを安定した状態で使用することがでくきる。
このように使用するのみであるなら、当然のことながら、紐、切り込み必要ないので、これらの構成を除いた簡易テーブルとするのもよい。このような構成とすることにより、ハンドル支持・寄り掛け部２に広告を表示する場合、より広い穴の無い部分を広告部分として使用できるので、広告料のアップ、見た目を向上させるという効果を得ることができる。
【００３１】
【発明の異なる実施の形態】
次に、図７ないし図５１に示す本発明の異なる実施の形態につき説明する。
なお、これら発明の異なる実施の形態の説明に当たって、前記した本発明の実施の形態と同一構成部分には同一符号を付して重複する説明を省略する。
【００３２】
図７に示す本発明の第２の実施の形態において２２は簡易テーブルであってこの簡易テーブル２２の前記本発明の第１の実施の形態と主に異なる点は、テーブル上支持部８は何も形成せずに、該８の根元側とハンドル支持・寄り掛け部２をクリップ２３、２４で挟み固定した点にある。
【００３３】
図８および図９に示す本発明の第３の実施の形態において２６は簡易テーブルであってこの簡易テーブル２の前記本発明の第１の実施の形態と主に異なる点は、展開図である図８の状態からみて、ハンドルＡ上に支持されるハンドル支持・寄り掛け部２７、このハンドル支持・寄り掛け部２７に折部２８で連絡されたハンドル支持・寄り掛け部２７上に重なる重なり部２９、この重なり部２９に折部３０で連絡されたテーブル部３１、このテーブル部３１に折部３２で連絡されたテーブル部３１のテーブル状態を下方から支持するテーブル下支持部３３とからなるテーブル本体３４と、ハンドル支持・寄り掛け部２７に設けられた下片挿入部３５と、テーブル下支持部３３に設けられた下片挿入部３５に挿入されてテーブル下支持部３３を支持する下部挿入片３６と、ハンドル支持・寄り掛け部２７に設けたテーブル部３１のテーブル状態を保持するための上片挿入部３７と、重なり部２９に設けられた上片挿入部３７に挿入され且つハンドル支持・寄り掛け部２７とハンドルＡに挟まれてテーブル部３１のハンドル支持・寄り掛け部２７からの離れが起きないようにするための上部挿入片３８とからなる点にある。
【００３４】
図１０および図１１に示す本発明の第４の実施の形態において４０は簡易テーブルであってこの簡易テーブル４０の前記本発明の第１の実施の形態と主に異なる点は、ハンドル支持・寄り掛け部２にテーブル部６のテーブル状態を保持するための両横側に片挿入部４１、４２を設け、テーブル上部支持部８の両横側に根元側に折部１６を設けてなる片挿入部４１、４２挿入され且つハンドル支持・寄り掛け部２とハンドルＡの間に挟まれて、テーブル部６のテーブル状態を支持し且つ該６がハンドル支持・寄り掛け部２から離れないようにするための上部挿入片４３、４４を設けた点にある。
【００３５】図１２および図１３に示す本発明の第５の実施の形態において４６は簡易テーブルであってこの簡易テーブル４６の前記本発明の第１の実施の形態と主に異なる点は、ハンドル支持・寄り掛け部４７と他の部位からなるテーブル側体４８の２部品に分離し、ハンドル支持・寄り掛け部４７のハンドル略潜らせ係止部４９がハンドル支持・寄り掛け部４７の上部に該４７の一部に設けた折目５０、５０の間に開けた孔からなるものである点にある。
【００３６】
図１４および図１５に示す本発明の第６の実施の形態において５４は簡易テーブルであってこの簡易テーブル５４の前記本発明の第１の実施の形態と主に異なる点は、重なり部１９、２０をカットして形成した、雑誌Ｂ等をページが開かないように立て置くことができる本支持部５５、５６を設けた点にある。
本支持部の形成は、ハンドル支持・寄り掛け部、テーブル部、重なり部の一部を折出すように形成するなど多様な方法があることは言うまでもない。
【００３７】
図１６および図１７に示す本発明の第７の実施の形態において５８は簡易テーブルであってこの簡易テーブル５８の前記本発明の第２の実施の形態と主に異なる点は、テーブル部３１の根元中ほどに下方に折り下げるテーブル下支持部５９を設け、ハンドル支持・寄り掛け部２７にテーブル下支持部５６が嵌り込む嵌合部６０が設けられた構成とした点にある。
【００３８】
図１８に示す本発明の第８の実施の形態において６２は簡易テーブルであってこの簡易テーブル６２の前記本発明の第１の実施の形態と主に異なる点は、テーブル部６の両側部に折り下げてハンドル支持・寄り掛け部２に係止支持させてテーブル部６のテーブル状態を下方から支持するためのテーブル下支持部６３、６４を設け、ハンドル支持・寄り掛け部２にテーブル下支持部６３、６４が嵌り係止される嵌合部６５、６６を設けた点にある。
【００３９】
図１９および図２０に示す本発明の第９の実施の形態において７０は簡易テーブルであってこの簡易テーブル７０は、ハンドルＡ上に係止支持される板材からなるハンドル支持・寄り掛け部７１と、このハンドル支持・寄り掛け部７１の上部に設けたハンドル略潜らせ係止部４９と、ハンドル支持・寄り掛け部７１の中を下部の折部７２、７３で該７１に連絡されて該７２、７３で折って折り出せるようにしたテーブル部７４と、このテーブル部７４からハンドル支持・寄り掛け部７１にかけて形成された、テーブル部７４のテーブル状態を該７４の下方から支持するためのテーブル支持部７５とからなっている。
テーブル支持部７５はテーブル部７４から折り出すための折部７６と、折部に連絡した上部支持部７７と、この上部市支持部７と折部７８で連絡された下部支持部７９と、この下部支持部７９をハンドル支持・寄り掛け部７１と連絡する折部８０とからなっている。
ハンドルと同じ幅かよりやや大きめの一枚板部材で形成できるので、大変安価に形成できるとともに、薄く一枚板なので車内での取り扱いがし易い。
【００４０】
図２１ないし図２３に示す本発明の第１０の実施の形態において８２は簡易テーブルであってこの簡易テーブル８２は、ハンドルＡ上に支持される幅３９センチ程度、長さ３５センチ程度のダンボール製板材からなるハンドル支持・寄り掛け部８３と、このハンドル支持・寄り掛け部８３の下部に折部８４で回動自在に連絡された２２センチ程度の前後幅のテーブル部８５と、ハンドル支持・寄り掛け部８３の左右側部に設けられた、紐部材を取り付けたり係止するための切込みからなる寄り掛け部側係止部８６，８７と、テーブル部８５の左右側部に設けられた、ハンドル支持・寄り掛け部８３の裏廻して寄り掛け部側係止部８６，８７に係止通した紐状部材８８を係止通すテーブル側係止部８９，９０とからなり、寄り掛け部側係止部８６，８７とテーブル側係止部８９，９０に係止され張られた紐状部材８８によりテーブル部８５のテーブル状態が支持されるようになっている。
また、前方の折出して雑誌などを置ける本支持部９１が、置いた雑誌が紐状部材８８に触れない高い部位に設けられている。ハンドル支持・寄り掛け部８３とテーブル部８５でテーブル本体９２を形成している。
寄り掛け部側係止部８６，８７とテーブル側係止部８９，９０は、挟持する単なる一本の切込みで紐状部材を挟持止める形態のもの、隙間形態に形成されて紐状部材の移動や取り外しが容易な形態のものなどいろいろある。
また、紐状部材８８はハンドル支持・寄り掛け部８３、テーブル部８５の裏を通して該８５の底部で結び輪を形成しているが、紐状部材は被覆針金や、輪状に前もって形成してあるものもよいことは言うまでもない。
図２３では、一本の紐部材からなる紐状部材８８に変えて、紐状部材に複数の止鍔９３を備え多鍔付き紐状部材９４を２本使用している。
【００４１】
図２４および図２５に示す本発明の第１１の実施の形態において９６は簡易テーブルであってこの簡易テーブル９６の前記本発明の第１０の実施の形態と主に異なる点は、切り込み１２、１３、寄り掛け部側係止部８６、８７、テーブル側係止部８９、９０をそれぞれ３本ずつ設けた構成とした点である。
こうすることにより、紐１１あるいは紐９７、９８を複数の切り込み及び係止部に巻くようにして固定することができるので、紐の取り付けが容易である。
【００４２】
図２６および図２７に示す本発明の第１２の実施の形態において１００は簡易テーブルであってこの簡易テーブル１００の前記本発明の第１の実施の形態と主に異なる点は、前記本発明の第６の実施の形態の構成において片挿入部１５の上方でハンドル支持・寄り掛け部の上部側に片挿入部１０１、１０２を間隔を空けて設けた点にある。
図２７に示すように、トラックのような傾斜角度の小さなハンドルであっても、片挿入部１０２に上部挿入片１７を挿入挟持させることによりテーブル部６を略水平なテーブル状態にして使用できる。
【００４３】
図２８ないし図３０に示す本発明の第１３の実施の形態において１０４は簡易テーブルであってこの簡易テーブル１０４の前記本発明の第１の実施の形態と主に異なる点は、前記本発明の第６の実施の形態の構成において、ハンドル支持・寄り掛け部１０５の左側部に切り込み１０６ａ〜１０６ｄを設け、右側に切り込み１０７ａ〜１０７ｄを設け、テーブル部３１とテーブル下支持部３３とからなるテーブル側体１０８の該３３の側に下部挿入片３６を設け、テーブル部３１の側に折部３０の外側に三分割して形成した左支持部１０９、右支持部１１０、本支持部１１１を設け、左支持部１０９には切り込み１１２を設け、右支持部１１０には切り込み１１３を設けて、ハンドルの傾きに応じてテーブル部３１が水平なテーブル状態になるように、切り込み１１２、１１３と切り込み１０６ａ〜１０６ｄ、１０７ａ〜１０７ｄを合わせ紐１１を切り込みに食い込ませハンドル支持・寄り掛け部１０５に左支持部１０９、右支持部１１０を固定した点にある。
図２９においては左支持部１０９、右支持部１１０は上向きにして固定し、図３０においては左支持部１０９、右支持部１１０は下向きにして固定しており、より細かなテーブルの水平状態を設定することができる。
また、テーブル部３１の前方側に奥側に起こし立てるストッパー（誤記するストッパー１８８のような形態）を設け、このストッパーの両側に切り込みを設け、この切込みと切り込み１０６ｃ、１０７ｃを紐で結び囲んで、該紐による囲い状のストッパーをテーブル３１上に形成できるようにするのもよい。
【００４４】
図３１及び図３２に示す本発明の第１４の実施の形態において１１６は簡易テーブルであってこの簡易テーブル１１６の前記本発明の第１の実施の形態と主に異なる点は、前記本発明の第１２の実施の形態の構成において、テーブル下支持部４にドリンク支持部１１７を備えた開口部１１８を設け、運転席や助手席とうの前部座席Ｂの後ろに逆さに装着してテーブル部６の底部を上にして、開口部１１８からドリンクＣや食べ物Ｄを入れ置いて後部座席の簡易テーブルとして使用できるようにした点にある。
テーブル部２の折部３すぐ上には切り込み１１９、１２０を設け紐１１を食い込ませて前部座席Ｂの上部に下げ支持するようになっている。
図３２においては座席ポケットＥにハンドル支持・寄り掛け部２を挿入支持しているが、座席ポケットがない場合は、切り込み１２、１３に紐を通し前部座席Ｂの下部に下方を固定するようにして使用する。１２１は片挿入部。
【００４５】
図３３及び図３４に示す本発明の第１５の実施の形態において１２３は簡易テーブルであってこの簡易テーブル１２３の前記本発明の第１の実施の形態と主に異なる点は、ハンドル支持・寄り掛け部１２４、テーブル下支持部１２５、テーブル部１２６を木製板部材で形成し、それぞれを蝶番１２７で連結して折部１２８、１２９を形成して回動自在にし、テーブル下支持部１２５には開口部１１８を設け、ハンドル支持・寄り掛け部１２４の上方には切り込み１３０、１３１を下方には切り込み１１９、１２０を設け、ハンドル支持・寄り掛け部１２４には面ファスナー１３２、１３２が設けられ、テーブル部１２６には面ファスナー１３２、１３２に係止されてテーブル部１２６のテーブル状態を支持するための面ファスナー１３３、１３３が設けられ、テーブル部１２６の前部にはテーブル上のものが落ちないようにするストッパー１３４が設けられている点にある。
紐１１を切り込み１２、１３あるいは切り込み１３０、１３１に食い込ませることより、テーブル部１２６の高さを選ぶことができる。
紐１１をハンドル支持・寄り掛け部に支持する構成には、切り込み以外に、フック、突起、穴や溝など多様な形態があり、紐によらず、ゴムバンド、非伸縮バンド、金属や合成樹脂や木製などの硬い部材からなるハンドル略潜らせ係止部形成部材をハンドル支持・寄り掛け部に取り付けてなるものなどでもよい。
【００４６】
図３５に示す本発明の第１６の実施の形態において１３７は簡易テーブルであってこの簡易テーブル１３７は金属棒部材で長方形枠体にハンドルＡより幅狭く形成してなるハンドル支持・寄り掛け部本体１３８、このハンドル支持・寄り掛け部本体１３８の上方を後ろ側に折り曲げて形成したハンドル略潜らせ係止部１３９、ハンドル支持・寄り掛け部本体１３８の下方を前方に上向き傾斜で織り上げて形成したテーブル下支持部１４０とからなるハンドル支持・寄り掛け部１４１と、テーブル本体１４２、このテーブル本体１４２に設けられたハンドル支持・寄り掛け部１４１の側棒１４３、１４４が嵌る側棒支持溝１４５、１４６、テーブル本体１４２の底部に設けられたテーブル下支持部１４０が嵌る低部支持溝１４７とからなるテーブル部１４８とからなっている。
板材からなるハンドル支持・寄り掛け部にハンドル略潜らせ係止部１３９のような形態のものを取付けても良いことはいうまでもない。
【００４７】
図３６に示す本発明の第１７の実施の形態において１５０は簡易テーブルであってこの簡易テーブル１５０の前記本発明の第１の実施の形態６と主に異なる点は、ハンドル略潜らせ係止部１５１の構成を側棒１４３、１４４を連結する胴縁１５２を設け、先端側を非連結の構造とした点である。
【００４８】
図３７および図３８に示す本発明の第１８の実施の形態において１５５は簡易テーブルであってこの簡易テーブル１５５の前記本発明の第１の実施の形態と主に異なる点は、ハンドル支持・寄り掛け部２の下方側部をカットして設けた片挿入部１５６、１５７を設け、テーブル部６に折部７で連絡したテーブル支持部１５８を設け、このテーブル支持部１５８の側部に片挿入部１５６、１５７に折り入れられ且つハンドル支持・寄り掛け部２の後ろ側に折りまわされ該２とハンドルＡに略挟まれる（一部がハンドルに当接して戻らない状態を含む。）上部挿入片１５９、１６０を設けた点にある。
テーブル部のテーブル状態を形成操作がおこないやすい。
【００４９】
図３９に示す本発明の第１９の実施の形態において１６２は簡易テーブルであってこの簡易テーブル１６２の前記本発明の第１の実施の形態と主に異なる点は、前記本発明の第６の実施の形態の構成に加えて切り込み１２、１３上に折部１６３を設けた点にある。
折部１６３で折りたたむことにより、紐１１を目立たなくできるとともに、ハンドルＡに押し付けられハンドル支持・寄り掛け部２の上部を強靭にできる。
【００５０】
図４０および図４１に示す本発明の第２０の実施の形態において１６５は簡易テーブルであってこの簡易テーブル１６５の前記本発明の第１の実施の形態と主に異なる点は、前記本発明の第６の実施の形態の構成においてテーブル部６とテーブル部下支持部４とでテーブル側体１６６をハンドル支持・寄り掛け部２と分離して形成し、テーブル部６の下方左側部に切り込み１６７ａ〜１６７ｃを設け、対向する下方右側部に切り込み１６８ａ〜１６８ｃを設け、テーブル下支持部４の端方に折部１６９上に切り込み１７０、１７１を設け、折部１６９外に本支持部１７２を設けた点にある。
ハンドルＡにあてがい、切り込み１７０、１７１を切り込み１６７ａ〜１６７ｃ、１６８ａ〜１６８ｃのテーブル部６が水平なテーブル状態となる適当な部位に紐１１で連結する。
【００５１】
図４２に示す本発明の第２１の実施の形態において１７５は簡易テーブルであってこの簡易テーブル１７５の前記本発明の第１の実施の形態と主に異なる点は、前記本発明の第６の実施の形態の構成においてハンドル支持・寄り掛け部２の上部に該２の一部として一体形成されたハンドル略潜らせ係止部４９と同じものであるハンドル略潜らせ係止部１７６、１７７を上下間隔を空けて設けた点にある。
ハンドル略潜らせ係止部１７６、１７７のいずれかをハンドル上部に被せハンドルを潜らせることにより、テーブル部２の高さを二つから選択できる。１７８、１７９、１８０は折り部。
【００５２】
図４３および図４４に示す本発明の第２２の実施の形態において１８３は簡易テーブルであってこの簡易テーブル１８３の前記本発明の第１の実施の形態と主に異なる点は、前記本発明の第１４実施の形態の構成において、開口部１１８の折片１８４、１８５を設け且つ折片１８６を有するドリンク支持部１８７を設け、テーブル部６に折上げ片からなるストッパー１８８を設けた点にある。
図４４に示すように折片１８４、１８５を折り下げて使用することにより、食べ物等が横から滑り落ちるのを防止し、折片１８６によりドリンク容器の支持安定性が良くなる。
【００５３】
図４５および図４６に示す本発明の第２３の実施の形態において１９０は簡易テーブルであってこの簡易テーブル１９０の前記本発明の第１の実施の形態と主に異なる点は、前記本発明の第１２の実施の形態の構成において、テーブル部６を分離した構成とするとともに、テーブル部６の手前側となる部位側に長細い片挿入部１９１を設け、片挿入部１９１が挿入されてテーブル部６とテーブル下支持部の接続固定とテーブル上のものが滑り落ちないようにするストッパー機能を果たす挿入片１９２をテーブル下支持部４に設けた点にある。
【００５４】
図４７ないし図４９に示す本発明の第２４の実施の形態において１９５は簡易テーブルであってこの簡易テーブル１９５の前記本発明の第１の実施の形態と主に異なる点は、テーブル固定部６からブル下支持部４とテーブル部６が連結されてなるテーブル側体１９６を分離した構造とし、テーブル固定部６の上方に該６と略同じ程度の大きさの遮蔽部１９７を設けて該６と該１９７で遮蔽部付き固定部１９８を構成し、テーブル下支持部４には上部挿入片１７に対向するように下部挿入片１９９を設けてなる点である。
さらに、日除け部１９７に下部挿入片１９９を挿入するたて向きの片挿入部２００、２０１を設けている。
図４８に示すように、ハンドルＡにハンドル支持・寄り掛け部６を係止固定し、下部挿入片１９９を片挿入部１２１に差込、上部挿入片１７を片挿入部１５あるいは１４に差込みテーブル側体１９６をハンドル支持・寄り掛け部６に取付け固定し、遮蔽部１９７はサンバイザーＨ等に立てかけて車外の視線を遮ったり日除けとして使用する。食事をしていても外から見えにくくできるので恥ずかしさを和らげ、フロントガラスからの外光を遮断するので、眩しさを解消し、本を読み易くしたりノートパソコンの画面を見やすくできる。
図４９に示すように、遮蔽部付き固定部１９８をフロントＧ上に広げ、片挿入部２０１に挿入片１９９を挿入してテーブル側体１９６を係止してハンドルＡを覆うように取付け、フロントＧおよびハンドルＡが直射日光により加熱されないように、日除け部材として使用することができる。
【００５５】
図５０および図５１に示す本発明の第２５の実施の形態において２０５は簡易テーブルであってこの簡易テーブル２０５の前記本発明の第１の実施の形態と主に異なる点は、前記本発明の第１３の実施の形態の構成において、下片挿入部３５の上方に下片挿入部２０６を設け、テーブル下支持部３３に下片挿入部３５あるいは下部挿入部２０６に挿入されてハンドルＡとハンドル支持・寄り掛け部２７に略挟持される上部挿入片１７同じ形態の下部挿入片２０７を設け、テーブル部３１にドリンク支持部２０８を開口させてなる点である。
２０９は本支持部。
ドリンク支持部２０８には折り下げられてドリンク容器Ｃの背部側を支持するドリンク背部支持片３００が設けられ、テーブル下支持部３３にはドリンク支持部２０８に挿しこまれたドリンク容器Ｃの底部を支持するドリンク底部支持開口３０１とドリンク低部支持片３０２が設けられている。
【００５６】
図５２に示す本発明の第２６の実施の形態において３１０は簡易テーブルであってこの簡易テーブル３１０の前記本発明の実施の形態と主に異なる点は、テーブル部６にインスタントラーメンなどの丼形の容器が横滑りしないようにするための該容器の底部を埋没した状態に支持するようにしてなる多数の支持片を放射状に形成してなる放射状片部３１２を備えた円形の開口部３１１を設け、折部５の端方に切り込み３１３、３１４を設けた点にある。
切り込み３１３、３１４の設ける部位はテーブル部６、テーブル下支持部４の適宜な部位でもよく、切り込み３１３、３１４と切り込み部１２、１３に紐で第１１の実施の形態に示すようにテーブル部６を支持して、重量のあるものを載せてもテーブル状態が支持されるようにするものである。
切り込み１２、１３以外の他の切込み例えば切り込み１０６ｃ、１０７ｃを設けて使用するのもよく、紐は横からテーブル部６上のものが落ちないようにするストッパーの役割とテーブル部６の支持重量をアップさせる。
放射状片部３１２により、カップヌードル（商標名）などの大き目のコップ型のインスタントラーメンの容器を差込支持することも可能となっており、放射状片をもう少し長くすると自動販売機等で販売される飲料缶などの飲料容器も支持できる。
【００５７】
図５３および図５４に示す本発明の第２７の実施の形態において３２０は簡易テーブルであってこの簡易テーブル３２０の前記本発明の第１の実施の形態と主に異なる点は、ハンドル支持・寄り掛け部２の上部に折部３２１を介して視線遮蔽部３２２を設け、該３２２を書見板として使用するための書類下支持部３２３をハンドル支持・寄り掛け部上方に設けた点にある。
また、紐１１はハンドルＡのシャフトカバーに掛けるようにしている。
【００５８】
図５５および図５６に示す本願出願人が発明したところの第２８の実施の形態において３２７は簡易テーブル（簡易ラック、簡易棚）であってこの簡易テーブル３２７は、壁に当て支持される壁支持部３２８と、該３２８の下部に折部３２９を介して設けられた第１の支持部３３０と、該３３０の下部に折部３３１を介して設けられた第２の支持部３３２と、該３３２の下部に折部３３３を介して設けられた挿入支持片３３４、３３５と、該３３４、３３５が挿入され壁と壁支持部３２８の間に挟持されるようにして第２の支持部３３２および第１の支持部３３３を前方に突出状態に固定するための壁支持部３２８に設けられた片挿入孔３３６および３３７と、第２の支持部３３２に開口された小物を入れ置くための開口部３３８と、壁支持部３２８の片挿入孔３３６および３３７の上部に設けられた折部３３９と、該３３９の上部側の壁支持部３２８の裏側に設けられた粘着剤からなる固定手段３４０と、株側支持部３３３と第２の支持部３３２からなる棚部３５６とからなっている。固定手段は磁石や吸盤や面ファスナーや壁支持部にいったい形成された針状部など多様なものがある。
このような主に小棚は、キッチンの調理するところの振り向かず手の届く壁に調味料を置く棚を簡単に形成することができる。
【００５９】
図５７に示す本願出願人が発明したところの第２９の実施の形態において前記第２８の実施の形態と主に異なる点は、第２の支持部３３２を水平なテーブル状態となるようにするとともに開口部３３８を設けず変えて包丁の刃挿入孔３４１と第１の支持部３３３に下の刃挿入孔３４２を設けた包丁支持具としても使用できる簡易棚３４３とした点にある。
同じ理屈で、第２の支持部に歯ブラシの柄を挿入できる挿入孔を多数設けることにより歯ブラシ立てにもできる。
【００６０】
図５８に示す本願出願人が発明したところの第３０の実施の形態において前記第２８の実施の形態と主に異なる点は、第１の支持部３３３を水平なテーブル状態となるようにするとともに該３３３に包丁の刃挿入孔３４１を設けた包丁支持具としても使用できる簡易棚３４４とした点にある。
【００６１】
図５９に示す本願出願人が発明したところの第３１の実施の形態において前記第２８の実施の形態と主に異なる点は、挿入支持片３３４、３３５の端方の表裏に顎付きの小突起３４６を設け、壁支持部３２８に片挿入孔３３６、３３７に挿入支持片３３４、３３５が挿しこまれ折られた状態で小突起３４６が嵌合する突起嵌合孔３４７を片挿入孔３３６、３３７の上下に設けた簡易棚３４８とした点にある。
【００６２】
図６０および図６１に示す本願出願人が発明したところの第３２の実施の形態において前記第２８の実施の形態と主に異なる点は、壁支持部と他の構成部位置分離し且つ小棚が複数形成できるようにした簡易棚３５０とした点にある。
簡易棚３５０は長方形板部材からなる本体に片挿入孔３３６、３３７により形成した上部片挿入部３５１と下部片挿入部３５２とこれらに対応するように設けられた突起嵌合孔３４７とからなる棚支持部３５３ａ、３５３ｂ、３５３ｃが設けられててなる構成の壁支持部３５４と、棚支持部３５３ａ、３５３ｂ、３５３ｃにそれぞれ支持される、小突起３４６付きの挿入支持片３３４、３３４を備えた第１の支持部３３０、小突起３４６付きの挿入支持片３３４、３３４を備えた第２の支持部３３２とからなる棚部３５５とからなっている。
図６１のように、多段式の小棚を実現する。棚部３５５の向きはどちらにもできる。
折部３３９を設けてあるので、壁に折部３３９より上部を鋲や粘着剤で固定しておいて、壁支持部３５４を下方からお起して棚部３５５を取り付けたり取り外したりできる。
【００６３】
図６２および図６３に示す本願出願人が発明したところの第３３の実施の形態において前記第２８の実施の形態と主に異なる点は、壁支持部３５８をタレント写真等をポスター的に表示する大きさに形成して広告等表示部３６５を設け、該３５８にタレントの写真３５９が印刷され且つ月めくりのカレンダー３６０を設け、片挿入孔３６１を中央に設け、該３６１に挿入支持される挿入支持片３６２を設け且つ該３６２に弱粘着部３６３を設けた簡易棚３６４を形成した点にある。
【００６４】
図６４、図６５および図６６に示す本願出願人が発明したところの第３４の実施の形態において前記第２８の実施の形態と主に異なる点は、壁支持部３５８の上部に小棚３７０が形成され、壁支持部３５８の下部に小棚３７１が形成される簡易棚３７２とした点にある。
小棚３７０を形成する部位は壁支持部３５８の上部に折部３７３を介して形成された第２の支持部３７４と、該３７４の上部に折部３７５を介して形成された第１の支持部３７６と、該３７６の上部に形成された挿入支持片３３４、３３５と、第２の支持部３７４の開口部３３８を形成するとともに鋲などを打ち込み壁に固定される固定片部３７７とからなっている。３７８はカレンダー。
【００６５】
図６７、図６８および図６９に示す本願出願人が発明したところの第３５の実施の形態において前記第２８の実施の形態と主に異なる点は、第１の支持部３３０側を打ち抜き壁支持部３２８に連結された壁に吸着盤鋲３８６や粘着鋲や針鋲等により固定する固定片３８０、３８１を形成し、挿入支持片を幅広の挿入支持片３８２とし、該３８２が挿入支持される片挿入孔３８３ａ、３８２ｂ、３８３ｃを壁支持部３２８に設け、壁支持部３２８および固定片３８０、３８１に針鋲打ち穴３８４と吸着鋲等打ち穴３８７を適宜設けた簡易棚３８５とした点にある。
鋲打ち穴は下方に向け斜め穴で設けるのがよい。
また、針金状部材を通す穴を適宜に設け、支柱部材や格子状部材や網状部材などに針金状部材により固定できるようにするのがよい。
吸着盤鋲３８６は吸着盤３８８と、この吸着盤３８８を支持し且つ吸着鋲等打ち穴の縁が当り支持する支持部３８９と、該３８９の外から壁支持部３２８を該３８９から外れないように抑える抑えフランジ３９６と、該３８９の外側に設けられた摘み部３９７とからなっている。
粘着鋲は吸着盤３８８を粘着部にしたものである。
【００６６】
図７０、図７１および図７２に示す本願出願人が発明したところの第３６の実施の形態において前記第２８の実施の形態と主に異なる点は、壁支持部３９０を小棚３９１に組立て形成した状態ではみ出し部位が少ない幅の狭い形態とし、壁支持部３９０の背部に粘着剤か磁石か面ファスナーか多数の小吸盤からなる吸着部を備えた多吸盤体などからなる固定手段３９２が設けられ、第１の支持部３３０に歯ブラシなどを差込む挿入孔３９３が適宜な間隔で設けられた簡易棚３９４とした点にある。
図７２に示すものは、背部に両面多数小吸盤体９５を吸着取り付け、壁に押し付けて該壁に固定するものである。
多吸盤体は一部を小棚３９１からはみ出るように設けて、そのはみ出し部位を指でつまんで吸い付いている壁面から剥がし外すことができるようにするのがよい。多吸盤体は裏側のみに吸盤を有して簡易棚の裏側に接着等してなるもの、表裏に吸盤体を有していて簡易棚に着脱できるものがある。
第２８の実施の形態から第３６の実施の形態においては壁面は図示せず省略している。
【００６７】
図７３ないし図７５に示す本発明の第３７の実施の形態において前記第１の実施の形態と主に異なる点は、切り込み４００、４０１を設けて、紐１１を切り込み１２、１３、４００、４０１に該１１が表側に出ないように通し支持し、且つ、図７４、図７５に示すようにハンドル支持・寄り掛け部２がハンドルＡや助手席全部のキャビネットや後部座席前方の座席後部に寄り掛け状態にして、着座者の腿上に上部挿入片１７を最方の片挿入部４０４に挿入してテーブル部６およびテーブル下支持部４を置いて使用できるようにするとともに、ハンドル支持・寄り掛け部２の下方を折部なしで該２を折起こした場合に下方に突き出して着座者の腿の間に入るテーブル下支持部４に形成された突出部３９９を設けてなる簡易テーブル４０２とした点にある。４０３はドリンクホルダー孔。
このように、紐を左右端方でのみ表側に露出させているので、ハンドル支持・寄り掛け部表の広告記載見栄えがよくなるという効果を得ることができる。
突出部３９９が腿と腿の（膝を含む）間に入り、簡易テーブルが腿から横にずれ落ちるのを防止するように機能する。
【００６８】
図７６に示す本発明の第３８の実施の形態において前記第１の実施の形態と主に異なる点は、紐４０５の構成を、一方の先端にストップボタン４０６を設けた構成とした点にある。
このようにすることにより、広告表示部分に走る紐を無くすことができ、広告の見栄えを違和感の無いものにできるとともに、長さ揃えを行わない取り付けが行えるので大量に取付けるときに便利である。
【００６９】
図７７および図７８に示す本発明の第３９の実施の形態において前記第１の実施の形態と主に異なる点は、ハンドル支持・寄り掛け部２の背部に切り込み１２、１３を設けた紐取付け板４０８、４０９を該１２、１３の下部側を接着して設け、テーブル下支持部４の根元側に挿入片１７を挿入する片挿入部４１０を設けた簡易テーブル４１１とした点にある。
紐や切り込みが広告部位となるハンドル支持・寄り掛け部の表面から完全に無くすことができる。
図７８に示すように、テーブルを腿において使用する場合、挿入片１７を片挿入部４１０に挿入して下方に突き出すことにより、腿の間に突き出した挿入片１７を挟むことができ、これにより、テーブルを腿上に確りと保持することができる。
他の実施の形態のものもそうであるが、膝（腿）挟み部（挟持部）により、ノートパソコンを置いての作業および操作を助手席等では自動車の走行中においても安定的に行うことができ、集中した操作および作業ができる。
被も取付け板は全面べた貼りとしてもよく、この場合切り込みはなくてもよい。
【００７０】
図７９に示す本発明の第４０の実施の形態において前記第１の実施の形態と主に異なる点は、ハンドル支持・寄り掛け部２の背部にハンドル略潜らせ係止部４９を設けたハンドル係止板４１３を上部を接着し設けた簡易テーブル４１４とした点にある。
このようにしても、第４０の実施の形態と同様な効果を得ることができるとともに、紐の装着工程と紐のない低コストを実現する。
【００７１】
図８０に示す本発明の第４１の実施の形態において前記第１の実施の形態と主に異なる点は、ハンドル支持・寄り掛け部２の上部を背部に折り曲げて切り込み持ち上がり部４１９、４３５と、剥離紙で覆われた粘着部４３９を内側に設けた固定部４３６と、該４１９、４３５、４３６を介する折部４１７、４１８と、折部４１７に設けた切込み部１２、１３と、この１２、１３に挟み取り付けられた紐１１とを設けてなるハンドル係止部４１５と、短くした上部挿入辺７の先方に膝に挟持できる幅狭の腿（膝）挟持部４３８とを設けてな簡易テーブル４１６とした点にある。
ハンドル係止部４１５は接着剤により折部の付いた板材を貼り付けなとするのもよい。
固定部４３６を上に移動させると持ち上がり部４１９、４３５は突っ張りあいながら折り部４１７を頂点に新た突出部を形成して行く。テーブル部６が水平になる位置を特定して、粘着部４３９をハンドル支持・寄り掛け部２に固定して、ハンドルの傾斜に対応した状態にできる。
片挿入部１１１あるいは片挿入部４１０に挿入された腿挟持部４３８は、膝に挟んで腿上に簡易テーブル４１６を確りと保持することを可能としている。片挿入部１１１に挿入された腿挟持部４３８は折り下げて膝に挟持するものであるので、必要、好みにお応じて使用したりしなかったりできるので便利である。
【００７２】
図８１および図８２に示す本願出願人が発明したところの第４２の実施の形態において前記第２８の実施の形態と主に異なる点は、挿入支持片３３４、３３５を支持片４２０、４２１として、支持片４２０、４２１に嵌合孔４２３を複数設け、壁支持部３２８前部に嵌合孔４２３に嵌合する先太の嵌合突起４２４を設け、壁支持部３２８の背部には顎付溝４３３、４３４が設けられ、第２の支持部３３２の開口部３３８下部にはいくつかのフック掛け部４３７が設けられ、該顎付溝４３３あるいは４３４を掛け支持ないし嵌合支持する強力な粘着材を幅狭側に設けた断面が略横台形の棒板状の壁固定片４３２を使用して壁面等に保持される簡易棚４２５を形成した点にある。
嵌合孔４２３と嵌合突起４２４は挿入支持片、壁支持部のどちらに設けてもよい。
嵌合孔は嵌合溝でもよい。
壁固定片４３２を壁に固定しておくことにより、重い過重に絶える簡易棚とすることができ、また、必要ないときは簡易棚のみを取り外すことを可能とし、固定片４３４も少ない粘着面であるので、壁から引き剥がし後処理が容易なものとでき、また、そのまま壁面に置いても邪魔にならず、大きく景観を損なうことがない。
フック掛け部４３７はフックを掛け置くことができ、フックに掛け置くものを下げ置くのに使用できるようになっている。
【００７３】
図８３および図８４に示す本願出願人が発明したところの第４３の実施の形態において前記第２８の実施の形態と主に異なる点は、挿入支持片３３４、３３５を支持片４２７として、支持片４２７に帯状あるいは線状の嵌合溝４２８を設け、壁支持部３２８背部に支持片４２７が回りこみ収まる支持片収め凹み部４２９が設けられ、この４２９に嵌合溝４２８に嵌合する嵌合突起４３０を設けてなる簡易棚４３１を形成した点にある。
嵌合溝４２８と嵌合突起４３０は挿入支持片、壁支持部のどちらに設けてもよい。
嵌合孔溝嵌合孔でもよい。
【００７４】
図８５および図８６に示す本願出願人が発明したところの第４４の実施の形態において４４０はカレンダーであってこのカレンダー４４０は、月ごとに予定などが記入できる記入カレンダー部４４１が１２枚程度上部で束ねられたもので、記入カレンダー部４４１の下部には粘着部４４２（表裏どちらに設けてもよい。）とこの上方に横長の開口部４４３が設けられてなる構成となっている。
記入カレンダー部４４１の下方を曲げあげ開口部４４３が前向きから上向きに位置するように粘着部４４２を貼り付けて、小棚４４３を形成する。小棚４４３には筆記具を入れておくことができるので便利である。
【００７５】
図８７に示す本願出願人が発明したところの第４５の実施の形態において４４６はカレンダーであってこのカレンダー４４０は、月ごとに予定などが記入できる記入カレンダー部４４１が１２枚程度上部で束ねられたもので、記入カレンダー部４４１の下部には挿入片４４７、４４７が垂れ形成され、該４４７の先端裏側には粘着部４４２が設けられ、記入カレンダー部４４１下方に開口部４４３が設けられ、その上方に挿入片４４７が差込まれる片挿入孔４４８、４４８が設けてなる構成となっている。
記入カレンダー部４４１の下方を前方に曲げあげ挿入片４４７を片挿入孔４４８に差込み粘着部４４２を貼り付けて、小棚４４３を形成する。
【００７６】
図８８に示す本願出願人が発明したところの第４６の実施の形態において４５０はカレンダーであってこのカレンダー４５０は、月ごとに予定などが記入できる記入カレンダー部４４１が１２枚程度上部で束ねられてなり、各記入カレンダー部４４１の下部が折上げられ上部が接着されて潰し押し広げると筒状のペン置き部４５１が形成されるようにしてなる構成となっている。
ペン置き部４５１に開口をもうけておくのもよい。
【００７７】
図８９および図９０に示す本願出願人が発明したところの第４７の実施の形態において４６０は自動車の車内で使用する簡易テーブルであって、この簡易テーブル４６０は着座者の腿上におくテーブル部４６１と、このテーブル部４６１と折部４６２を介して設けられた助手席前のキャビネットやハンドルや前部座席の後部などに寄り掛ける寄り掛け部４６３とからなっている。
寄り掛け部４６３が前方部位に寄りかかっているので、テーブル部４６１は着座者の腿上から前方に移動しないように支持され、且つ、テーブル部４６１に載せ置いたものが寄り掛け部４６３により落ちないように支持され、寄り掛け部４６３に雑誌を寄り掛けて書見台としての機能も果たすものである。
腿に触れる部位であるテーブル部の底部には滑り止めを施すのがよい。
【００７８】
図９１に示す本願出願人が発明したところの第４８の実施の形態において前記第４７の実施の形態と主に異なる点は、寄り掛け部４６３の上部両側部に切り込み４６４、４６４を設け、該４６４に紐４６５を通し挟み保持して、裏側で結束して、ハンドルＡを挟み保持するようにした簡易テーブル４６６を構成している点にある．
運転席ではハンドルに保持できるので安定した使用ができる。
【００７９】
図９２および図９３に示す本願出願人が発明したところの第４９の実施の形態において前記第４７の実施の形態と主に異なる点は、寄り掛け部４６３の下方中央に折部４７７にして腿挟み片４７８を設けた簡易テーブル４７９とした点にある。折部４７７はテーブル部４６１側に食い込み形成されている。
腿挟み片４７８を下方に向け腿で挟むことにより、簡易テーブルを腿上に確りと固定することができる。
【００８０】
図９４および図９５に示す本願出願人が発明したところの第５０の実施の形態において前記第４７の実施の形態と主に異なる点は、寄り掛け部４６３の下部に折部４８１を介して腿載せ部４８２を設け、腿載せ部４８２の下に折部４８３を介してテーブル部４６１を設け、寄り掛け部４６３の下方中央に広口と狭口との二段式の片挿入支持部４８４が設けられ、寄り掛け部４６３の下部左右には折部４８１で該４６３を折お起したときに下方に突出する形態の腿の外側に当って横ずれを防止するための横ずれ防止部４８５、４８５が腿載せ部４８２に切り食い込むようにして形成され、腿載せ部４８２の中央折部４８１から腿挟み片４８６が設けられ、テーブル部４６１には２箇所のドリンクホルダー孔４８７、４８８が設けられ、テーブル部４６１の先端には片挿入支持部４８４に挿入され且つ抜けないように係止されるキノコ形態の挿入片４８９が設けられ、該４８９の両側には雑誌等を支持するための本支持部４９０、４９１が設けられてなる簡易テーブル４９２を構成した点にある。
腿挟み片４８６は使用したい場合に降ろして腿で挟み使用する。
片挿入支持部４８４に挿入した挿入片４８９は狭口に嵌りキノコ形態の頭が引っかかり引っ張りや押し下げ力に対しては抜けないようになっている。このような、抜けない構成は、片挿入部および挿入片をあるいはいずれか一方を略逆台形にするなど多様な形態があることはいうまでもない。
挿入片４８９と片挿入支持部４８４とで間隔形成手段を構成している。
【００８１】
図９６ないし図９９に示す本発明の第５１の実施の形態において前記第４７の実施の形態と主に異なる点は、寄り掛け部４６３の下部に折部４８１を介して腿載せ部４８２を設け、腿載せ部４８２の下に折部４８３を介して該４８２と略同じ幅のテーブル部４６１を設け、寄り掛け部４６３の下方中央に片挿入支持部４９５が設けられ、折部４８１と接する部位の腿載せ部４８２に片挿入部４９６を設け、テーブル部４６１の端中央に片挿入部４９５、４９６に挿入支持される挿入片４９７が設けられ、片挿入支持部４９６に挿入された挿入片４９７は下方に突き出して腿に挟み支持する（図９６のように）ことができるようにしてなる簡易テーブル４９８を構成した点にある。
また、寄り掛け部４６３の側部に凹形態の切り込み案内凹４９２を適宜な数設けて、左右対称にカッター等で切り込みを入れて紐を数回巻きつけてハンドル潜らせ部を形成してハンドルに掛け支持できるようになっている。
また、より掛け部４６３に２本の縦線からなる片挿入部形成案内線４９３が設けられ、ハンドル潜らせ部を形成してハンドル上に支持させて使用する場合の、片挿入部をそのハンドルの傾きに合わせた適宜な位置に正確に形成できるようにしてある。
挿入片４９７は上部支持片４９３とその下の下部支持片４９４とからなり、腿（膝）でどちらかを挟むことによりテーブルの角度を二段階から選ぶことができる。また、挿入片４９７は片挿入支持部４９５か片挿入部４９６のどちらに挿入しても膝で挟持することができるので、どちらを使用するかは使用者の使い心地や、体格などにより選べることができる。
片挿入部４９５、４９６と挿入片４９７で間隔形成手段を構成している。
また、タレントなどの顔写真などを含む広告等４８０ａが寄り掛け部４６３に広告等４８０ｂがテーブル部４６１に施されている。
本発明の簡易テーブルは広告媒体として見た場合、広告部分が広大であり、なによりもこれをもらうなどした人は、殆どが廃棄することなく自動車等において使用することになり、それもたまたま広げ広告が見える状態で使用することから、繰り返し使用者に語りかけることになり、最初は興味を示さない人でも興味を示したり、記憶に残るようになったりなど従来にないすぐれた広告媒体であるという特徴を持つものである。その広告機能の強さ優位性から高額な広告料を望めるものである。
請求項：広告等を施したことを特徴とする請求項１〜１９いずれか記載の簡易テーブル。
図９７、９８、９９においては広告は図から省略している。
【００８２】
図１００および図１０１に示す本願出願人が発明したところの第５２の実施の形態において前記第４７の実施の形態と主に異なる点は、前記本発明の第５０の実施の形態の簡易テーブルにおいて、寄り掛け部４６３に変えて短い立ち縁部５００とし、腿挟み片４８６をより内側に設けた点とした簡易テーブル５０１を形成した点にある。
【００８３】
図１０２に示す本願出願人が発明したところの第５３の実施の形態において前記第４７の実施の形態と主に異なる点は、前記本発明の第５２の実施の形態の簡易テーブルにおいて、腿挟み片４８６および横ずれ防止部４８５、４８５を設けず、立ち縁部５００の下部に腿載せ部４８７に食い込むように略逆三角形状に形成された、立ち縁部５００を起こした場合に該４８７下方に突き出して腿間凹みに位置して簡易テーブルが腿上からずれ落ちないように防止する下方突出部５０４と、折部４８３上でテーブル部４６１側に設けた下方突出部５０３を設けてなる簡易テーブル５０５を形成した点にある。
【００８４】
図１０３に示す本願出願人が発明したところの第５４の実施の形態において前記第４７の実施の形態と主に異なる点は、前記本発明の第５３の実施の形態の簡易テーブルにおいて、下方突出部５０６を腿載せ部４８７側少し手前位置に設けてなる簡易テーブル５０７を形成した点にある。下方突出部５０６は着座者の好みや必要により使用したり使用しなかったりできる。
【００８５】
図１０４に示す本願出願人が発明したところの第５５の実施の形態において５０９は簡易テーブルであって、この簡易テーブル５０９は自動車の座席に着座した着座者の腿の上に当て載せる腿載せ部４８２と、この４８に折部４８３を介して設けられたテーブル部４６１と、腿載せ部４８２の端方に設けられた片挿入部５１０と、テーブル部４６１の端方に折部５１１を介して設けられた、腿載せ部４８２とテーブル部４６１の間に立て状態で挟まれる間隔形成手段５１２と、この間隔形成手段５１２の端方に設けられた片挿入部５１０に上方から挿入され且つ腿載せ部４８２の下方に突出して腿間凹みに位置し横滑り防止手段となる略逆三角形状の挿入片５１３とから構成されている。
【００８６】
図１０５および図１０６に示す本願出願人が発明したところの第５６の実施の形態において前記第４７の実施の形態と主に異なる点は、前記本発明の第５５の実施の形態の簡易テーブルにおいて、テーブル部４６１側に切込みにより形成したてーブル支持部５１２と折部なしで一体化して設けられた立ち上がり縁部５１５を設けた簡易テーブル５１６を形成した点にある。
挿入片５１３を片挿入部５１０の挿入したテーブル支持部５１２を立ち上げ状態において、立ち上がり縁部５１４は立ち上がった状態となりテーブル上のものが前方に落ちるのを阻止する。
下方突出部５０６を腿載せ部４８７側少し手前位置に設けてなる簡易テーブル５０７を形成した点にある。
【００８７】
図１０７および図１０８に示す本願出願人が発明したところの第５７の実施の形態において前記第４７の実施の形態と主に異なる点は、前記本発明の第５５の実施の形態の簡易テーブルにおいて、テーブル支持部５１２の先に片挿入部５１０に嵌合する嵌合部５２１を設け、該５２１の先に腿間に挟む腿挟み片５２２を設けてなる簡易テーブル５２３を形成した点にある。
腿載せ部４８２の下方に突出した腿挟み片５２２を腿間に挟持することにより簡易テーブルを確りと腿上に支持して、安定した状態で使用することができる。腿挟み片５２２は短くしたりその形状により、腿間凹みに腿を圧迫しない程度の突出形態とすることにより、違和感無く使用できる簡易テーブルの腿上からの横ずれ防止手段とできる。
【００８８】
図１０９および図１１０に示す本願出願人が発明したところの第５８の実施の形態において前記第４７の実施の形態と主に異なる点は、寄り掛け部４６３とテーブル部４６１の間に該４６１よりも幅の短い腿載せ部４８２が設けられ、寄り掛け部４６３に中央の折部４８１から間隔を空けて下方に折り立て状態にでき且つ腿載せ部４８２の下方に突出して腿間凹みに入りあるいは腿間に挟持される挿入片５２５が設けられ、該５２５を挿入する片挿入部５２６が腿載せ部４８２に片挿入部５２７がテーブル部４６１に設けら、テーブル部４６１の端に折りテーブル状態とした場合の該４６１と腿載せ部４８２の間に所定の間隔を固定するための折り曲げる間隔形成手段５２８、５２８を設けた簡易テーブル５２９を形成した点にある。
折りテーブル状態とした場合に挿入片５２５が片挿入部５２６および片挿入部５２７を貫通して腿載せ部４８２の下方に突出して腿間に挟持されたり、腿間凹みに入り腿上からずれるのを防止するように機能する。
【００８９】
図１１１および図１１２に示す本願出願人が発明したところの第５９の実施の形態において前記第５５の実施の形態と主に異なる点は、片挿入部５１０およびテーブル支持部５１２を設けず、腿載せ部４８２の端方に折部５３０を介して該４８２とテーブル部４６１を所定の間隔におくための挿入片５１３を有するテーブル支持部５３１を設け、この間隔形成手段５３１と一体的に形成され該５３１から延びるように形成された書見台として機能する形態の挿入片５３２を設け、腿載せ部４８２の左右に起こし立てられる横縁を形成する挿入片５３３、５３４が設けられ、テーブル部４６１の端方に挿入片５３２が挿入される片挿入部５３５が設けられ、テーブル部４６１の左右には挿入片５３３、５３４が挿入される片挿入部５３６、５３７が設けられた簡易テーブル５３８を形成した点にある。
テーブル状態に組み立てた状態においてはテーブル部４６１上に挿入片５３２、５３３、５３４が突出して、書見台、立ち上がり縁としての機能を果たすようになっている。
挿入片５３３、５３４の片挿入部５３６、５３７への挿入によりテーブル状態の保持が崩れないような形態となる。
図１０３と同じように腿挟み片５４０等を設けるのがよい。
【００９０】
図１１３に示す本願出願人が発明したところの第６０の実施の形態において前記第５３の実施の形態と主に異なる点は、腿載せ部４８２に下り下げて膝に挟み支持する腿挟み片５４０を設け、書見台５４１を設けてなる簡易テーブル５４２を形成した点にある。
【００９１】
図１１４および図１１５に示す本発明の第６１の実施の形態において５５０は簡易テーブルであって、この簡易テーブル５５０は薄ダンボール板製の着座者の腿（膝）に載せ置き且つテーブル部として使用できる底板部５５１と、この底板部５５１の四方に立ち上げられた囲い部５５２と、左側に底板部５５１から間隔をあけて設けられたドリンク等置き穴５５３，５５４と側部に設けられた折下げられる支持部５５９とからなるドリンク等置き支持部５５５と、底板部５５１に切り込みにより形成された下方にたれ下げて腿と座席の間に挟むことができる長さで、適宜な数のに折部５５６を備えた腿挟持部５５７，５５８とからなっている。
腿挟持部５５７，５５８は腿の肉付によっては腿（膝）間に挟持することもできるものである。
自動車の助手席や後部座席のみならず映画館や公園などの座席やベンチ、単に足を伸ばして地面や床に座っての使用が可能である。
底板部５５１の上部にテーブル部を設けるのも良い。
【００９２】
図１１６に示す本願出願人が発明したところの第６２の実施の形態において前記第６１の実施の形態と主に異なる点は、腿挟持部５５７と同じ形態の腿挟持部５６２を底板部５５１の中央に縦向きに設けた簡易テーブル５６３を形成した点にある。
適当に設けられた折部５５６により腿挟持部５６２は簡単に曲がり座席までの長さを自在に調節できるので腿の細い人から太い人まで使用できる。
【００９３】
図１１７に示す本願出願人が発明したところの第６３の実施の形態において前記第６１の実施の形態と主に異なる点は、腿挟持部５５７を同じ形態で且つ先端に腿の下に入り込む抜け防止部５６５を備えた腿挟持部５６６を底板部５５１の中央に縦向きに設けた且つ簡易テーブル５６７を形成した点にある。
腿挟持部５６６の腿の挟持が甘くなっても、腿下に抜け防止部５６５が引っかかり簡易テー部が腿上に安定させておくことができる。
【００９４】
上記各実施の形態に示した図面は、意匠図面とすることができるものであり、展開図に紐がついたものは紐を除いた状態で意匠出願でき、表面図と裏面図は対称である。また、板厚は一般的には０、５ミリから１０ミリ程度のものである。
腿挟持部で支持する簡易テーブルの請求項は次のようになる。
（請求項１）椅子に座ってあるいは足を伸ばして床や地面に座ってなどの着座状態の着座者の腿の上に載せ置く腿載せ部と、この腿載せ部を腿に載せた状態で腿（膝を含む）間で挟持できるように下方に突出されたあるいは突出できるようにした腿挟持部とかなることを特徴とする簡易テーブルないし膝載せ体。
腿挟持部の形態は、下方に突出したあるいは下方に回動や曲げにより向けられ突出させることができる構成のものは全部技術範囲に含まれるものである。例えば、板材が蝶番で回動自在に設けられている、適当な太さの一方向あるは自在に曲げられるものが取り付けられているなども含まれるものである。
（請求項２）腿挟持部材が腿と座席の間に挟みつけることのできる長さと部材からなる腿挟持部であることを特徴とする請求項１記載の簡易テーブルないし膝載せ体。
腿下挟持部は布や、柔軟性合成樹脂部材などからなるシート状のもの、ひも状のものなでその形態および部材は多様なものがある。
【００９５】
図１１８は本願出願人が発明したところの第６４の実施の形態を示す斜視図であって、膝（腿を含む）に載せ置くことができる簡易テーブル、ノートパソコン、ノートパソコンなどのケース、鞄、バックなどの膝載せ体５７０は、膝載せ体５７１と、この膝載せ体本体５７１の底部や側部に折り下げ自在に設けた膝挟持片５７２、５７３、５７４とからなっている。膝挟持片５７２、５７３、５７４はオス面ファスナー５７５とメス面ファスナー５７６により膝載せ体本体５７１に張り付くように収まるようになっている。
膝挟持片５７２、５７３、５７４はズボンをはいている場合は３枚を降ろして使用し、スカートの場合は膝挟持片５７３のみを下ろして挟持するなどのことができるようになっている。
５７７は低部に粘着剤、縫込みなどにより固定される固定部である。
膝挟持片は膝載せ体本体と一体形成されてなるものもよい。
また、膝挟持片を設けた反対側の面に起こし立てることができる書見台的なものを設けることにより、本を手に持たない手を添える程度の軽い操作で本を快適に読むこともできる。
請求項：膝載せ体本体に該膝載せ体本体を膝に載せた状態で起こし立てて、本を立て支持するための本立て支持部を設けてなる書見台付き膝載せ体。
【００９６】
図１１９は本願出願人が発明したところの第６５の実施の形態を示す斜視図であって、バックからなる膝載せ体５８０は、膝載せ体本体５８１と、この膝載せ体本体５８１の側部に折り下げ自在に該５８１と一体的に設けられた膝挟持片５８２と、この５８２を収納する収納部５８３と、オス面ファスナー５７５とメス面ファスナー５７６とからなっている。膝挟持片５８２の内側には膝で挟持しても該５８２がヘタラないように補強板が張り付けたり縫い付けたりして設けられている。
従来においては、バックやケースなどを膝の上に載せておいても、絶えず落ちないように手で無意識的にも操作しなくてはならず、気が休めない、うっかり落としてしまうなどの欠点があった。
【００９７】
図１２０ないし図１２２に示す本願出願人が発明したところの第６６の実施の形態において５９０は全体がダンボール製板部材やダンボール形態合成樹脂製板部材などからなる簡易テーブルである膝載せ体であって、この膝載せ体５９０は折部５９１で仕切られた膝載せ部５９２と、テーブル部５９３と、膝載せ部５９２に折部５９４で連絡され折れ押し下げることができる膝挟持片５９５と、膝載せ部５９２の端方に突出するように折部５９６で連絡され折れ起すことができるテーブル上げ支持部５９７と該５９７の先方に該５９７より幅狭の挿入突き出し部５９８とからなる二つのテーブル上げ縁形成部５９９と、テーブル部５９３の端方に設けられたお越し立てた挿入突き出し部５９８が挿入される片挿入孔６００、６００と、テーブル部５９３に設けられた孔からなるドリンクホルダー孔６０１とから構成されている。
膝挟持片５９５の先端側部には顎６０２、６０２が設けられ、該５９５を挟持した膝が緩んでも抜けないようになっている。
また、折り畳んだ状態で２５センチメートル×３０センチメートルの大きさであり、ノートパソコンなどを入れるバックに収納できる大きさに形成されている。
【００９８】
図１２３および図１２４に示す本願出願人が発明したところの第６７の実施の形態において前記第６６の実施の形態と主に異なる点は、膝挟持片５９５をテーブル部５９３の側に設け、膝載せ部５９３に折下げられた膝挟持片５９５を挿入し下方に突き出させる片挿入孔６０６を設けてなる膝載せ体６０５を形成した点にある。
膝挟持片５９５には顎６０２を設けずテーブル上げ支持部６０４、６０４を設け、テーブル上げ支持部５９７とでテーブルの上げ状態を選べるようになっている。
【００９９】
図１２５および図１２６に示す本願出願人が発明したところの第６８の実施の形態において前記第６６の実施の形態と主に異なる点は、前記第６７の実施の形態の膝載せ体の構成うちのテーブル上げ縁形成部５９９および片挿入孔６００、６００を設けない形態とした膝載せ体６０９を形成した点にある。
【０１００】  
図１２７および図１２８に示す本願出願人が発明したところの第６９の実施の形態において６１２は全体がダンボール製板部材やダンボール形態合成樹脂製板部材などからなる簡易テーブルである膝載せ体であって、この膝載せ体６１２は折部５９１で仕切られた膝載せ部５９２と、テーブル部５９３と、膝載せ部５９２の中央に形成された膝挟持片６１４と、この膝挟持片６１４の根元両横に形成された折部６１３、６１３と、該６１３、６１３で折られて折起されるテーブル上げ支持部６１５と、該６１５を延長するように形成された該６１５より幅狭の挿入突き出し部６１６と、挿入突き出し部６１６とテーブル上げ支持部６からなるテーブル上げ縁形成部６１８と、テーブル部５９３の端方に設けられたお越し立てた挿入突き出し部６１６が挿入される片挿入孔６１７と、片挿入孔６１７上に形成された指を入れる手提げ用孔６１９と、テーブル上げ縁形成部６１８に形成された指を入れる手提げ用孔６２０と、テーブル部５９３に設けられた孔からなるドリンクホルダー孔６０１とから構成されている。
テーブル部５９３と膝載せ部５９２を折畳重ねると手提げ用孔６２と手提げ用孔６１９は重なるようになっている。切込みを入れ紐で開かないようにしたり、面ファスナーなどで閉じ状態をしじするようにして使用する。
【０１０１】  
図１２９に示す本願出願人が発明したところの第７０の実施の形態において前記第６８の実施の形態と主に異なる点は、テーブル部５９３と膝載せ部５９２の連絡を折部６２５、６２５により適当な幅の底部６２６を設け、テーブル部５９３にネットや袋体などからなる小物入れ部６２７を設けた膝載せ体６２８を形成した点にある。６２９はファスナー。
【０１０２】  
図１３０ないし図１３２に示す本願出願人が発明したところの第７１の実施の形態において前記第６８の実施の形態と主に異なる点は、前記第６９の実施の形態の膝載せ体の構成に加えてノートパソコンを脱落しないように収納し且つ手に下げ持ち歩くことができるようにした膝載せ体６３２を形成した点にある。
具体的には、膝載せ部５９２の左右に側壁形成部６３３、６３３が折部６３４で外側に起せるように形成され、テーブル部５９３の側には起された側壁形成部６３３、６３３が填まる側壁支持孔６３５、６３５が形成した点にある。
【０１０３】  
図１３３に示す本願出願人が発明したところの第７２の実施の形態において前記第６６の実施の形態と主に異なる点は、前記第６８の実施の形態の膝載せ体の構成に加えて挿入片６００、６００をテーブル部５９３に設け、挿入片６００、６００に折部６３７で折り起されて挿入されて突き出る挿入突き出し部６３８を膝載せ体５９２に設けてなる膝載せ体６３９を形成した点にある。
【０１０４】  
図１３４に示す本願出願人が発明したところの第７３の実施の形態において６３７は簡易テーブルである膝載せ体であって、この膝載せ体６３７はテーブル部を兼ねた膝載せ部６３８と、この膝載せ部６３８の向こう側に形成された折部６３９と、この折部の向こう側に形成された折お越し部６４０と、該６４０と一体的に動作する膝挟持片６４１とからなっている。
膝に載せて膝挟持片６４１が膝に挟持支持されることにより、折お越し部６４０が立ち上がった状態に保持され、載せたものが向こう側に落ちるのを阻止する。
【０１０５】  
図１３５に示す本願出願人が発明したところの第７４の実施の形態において前記第７３の実施の形態と主に異なる点は、膝挟持片の構成を膝挟持片６４１と同じ形態の膝挟持片６４４の上側を折お越し部６４０に接着やホッチキスなどで固定した構成の膝載せ体６４５を形成した点にある。
【０１０６】  
図１３６に示す本発明の第７５の実施の形態において前記第１の実施の形態と主に異なる点は、テーブル部６の折部５に近い両側部に切り込み６５０ａ、６５０ｂを設け、ハンドル等掛け部２に切り込み６５１ａ、６５１ｂと該６５１ａ、６５１ｂの内側に切り込み６５２ａ、６５２ｂを設け、テーブル下支持部４の折部３近くの中央に切り込み６５３を設けたてなる簡易テーブル６５４を形成した点にある。
切り込み６５０ａ、６５０ｂと切り込み６５１ａ、６５１は折部３で二つ折りにし重ねた状態で同じ位置になり、切り込み６５２ａ、６５２ｂに二つの結び目を形成して挟持させた紐６５５、６５６を切り込み６５０ａ、６５０ｂから切り込み６５１ａ、６５１に掛けて挟持させることにより、折り畳んだ状態で開かないようにできる。
切り込み６５３には結び目を一つつけて輪形態にした紐６５７を挟持させて設け、フックに吊るしたり、紐６５７をウインドーに挟んで日除けや目隠しとして使用できるようにしている。
【０１０７】  
図１３７に示す本願出願人が発明したところの第７６の実施の形態において前記第１の実施の形態と主に異なる点は、テーブル部５９３に広い開口部６６０を設け、該６６０内に折部６６１で連絡された膝挟持片６６２を設けた膝載せ体６６３を形成した点にある。
【０１０８】  
図１３８および図１３９に示す本願出願人が発明したところの第７７の実施の形態において前記第１の実施の形態と主に異なる点は、使用状態や好みに応じて前後の向きを入れ替えて使用することにより膝に載せたテーブル部の傾きを選択できるようにした膝載せ体６６５を形成した点にある。
具体的には、膝載せ部５９２の端方左右にテーブル上げ縁形成部５９９、５９９と中央端方に片挿入孔６０６と折部５９１側に折部６６７を形成した膝挟持片６６６とを設け、テーブル部５９３にテーブル上げ縁形成部５９９、５９９の挿入突き出し部５９８が挿入される片挿入孔６００、６００と、片挿入孔６０６に挿入されて下方に突き出す膝挟持片６６８とを設けた構成となっている。
膝挟持部を設けずに、紐を適当に設けた切込みに挟持するなどして腿に巻くなり抑えるなりして膝載せ体を膝上に保持できるようにするのもよい。
【０１０９】
図１４０に示す本願出願人が発明したところの第７８の実施の形態において前記第１の実施の形態と主に異なる点は、前記第７７の実施の形態の構成に加えて、膝載せ部５９２の折部５９１近くに折部６７０で折り下げられるように高さ調節片６７１を設けた膝載せ体６７２を形成した点にある。
【０１１０】  
図１４１ないし図１４３に示す本発明の第７９の実施の形態において前記第１の実施の形態と主に異なる点は、切り込み６８０ａと６８０ｂを対向する側に設けたテーブル本体９と同じ幅の隙間調節片６８１を５枚程度、ミシン線や切抜き線などの切り離し線６８２により容易に切り離せるようにテーブル本体９に連結して設け、紐１１を挟持させる切込みをテーブル本体９の裏側に印刷による線や凹み線による切込案内線６８３ａ、６８３ｂ、６８４ａ、６８４ｂ、６８５ａ、６８５ｂをハンドル支持・寄り掛け部２の上方に設け、さらにハンドル支持・寄り掛け部２の下方に印刷による線や凹み線による切込案内線６８６ａ、６８６ｂ、６８７ａ、６８７ｂ、６８８ａ、６８８ｂを設けた簡易テーブル６８９を形成した点にある。
隙間調節片６８１はテーブル本体に一体的に設けられず、別に添付されあるいは提供店舗等で必要な枚数を提供できるようにするのも良いことはいうまでもない。
隙間調節片６８１を全部テーブル本体９から切り離す。
自動車のハンドルにテーブルを形成した状態でハンドル支持・寄り掛け部２を当て、もっとも良い位置を決め、紐１１を取り付ける最適な切込案内線を６８３ａ、６８３ｂ、６８４ａ、６８４ｂ、６８５ａ、６８５ｂのいずれかから選び印を付け、選んだ切込案内線にカッターや鋏で切り込みを入れる。
ハンドルＡのエアーバック収納部などの内側部位Ｂが該ハンドルよりも高く突出している場合は、テーブルの水平状態も考慮しながら切込案内線６８６ａ、６８６ｂ、６８７ａ、６８７ｂ、６８８ａ、６８８ｂのなかから最良の部位を選択して、切り込みを入れる。
いれた切込みに裏部位に適宜な枚数の隙間調節片６８１を当て紐１１で切り込みに紐を通し巻いて隙間調節片６８１をテーブル本体９の裏側にセットする。
隙間調節片６８１のセット数はテーブルの傾き、ハンドルの内側部位の突出具合などでいろいろであるが、場合によっては上方のみ下方のみという場合も生じる。
【０１１１】  
図１１４に示す本発明の第８０の実施の形態において前記第１の実施の形態と主に異なる点は、膝挟持片としての挿入片１７の両脇にテーブル部６のテーブル状態を保持するための挿入片６９３ａ、６９３ｂが設けられ、テーブル本体９には挿入片６９３ａ、６９３ｂが挿入される片挿入孔６９４ａ、６９４ｂ、６９５ａ、６９５ｂ、６９６ａ、６９６ｂが設けられてなる簡易テーブル６９７を形成した点にある。
挿入片６９３ａ、６９３ｂを片挿入孔６９４ａ、６９４ｂ、６９５ａ、６９５ｂ、６９６ａ、６９６ｂのいずれかに挿入し、ハンドルＡとテーブル本体９の間に挿入片６９３ａ、６９３ｂを挟持するようにしてテーブル状態をハンドル上で形成保持できるようになっている。
【０１１２】  
特開平１１−３２１４６７（車両用多機能保持台 公開日１１月２４日）に、「ハンドルに掛ける取付け部材（ハンドル支持部）と、該取付け部材に回動自在に設けられたテーブルを形成する載置部材（テーブル部）と、取付け部材の背部にハンドルの上部が填まる填まり部を形成して接着などにより固定されたバンド部材からなる取付け手段とからなる車両用多機能保持台」の技術が開示されている。
この前述した従来技術は、ハンドルのエアーバック収納部などの内側部位がハドル面より上に突出しているものについては、該内側部位がハンドル取付け部材裏側に当り、テーブルの支持使用が大変不安体になる、内側部位がクラクションの場合は、過重をかけた拍子にクラクションが鳴ってしまうという欠点を有するものであった。
また、ハンドルそのものが特別あつらい製となるのでコストが掛かるものであり、取付け部材への固定も接着やビスなどによる固定方法によらなければならず、部品コストおよび取付けコストが掛かりコスト高となる欠点があった。
また、バンドが邪魔で外したい場合にはこれを取り外すことができないとうい欠点を有するものであった。
また、特別に対応したバンドを取付けて提供しなければならず、安価にするために取付け部材と載置部材のみの提供ができないとうい欠点を有するものである。
本発明は以上のような従来技術の欠点に鑑みてなされたものであって、ハンドル取付け手段を添付しなくても使用者が経済的負担をそれほど感じずに自ら容易に調達できる特別あつらい製でない一般的なたこ糸などの安価な紐状部材とでき、且つ、使用者が素早く簡単に紐状部材を取付けることも取り外すこともできるとともに、ハンドル取付け手段を取付けたり添付しても低コストが可能であり、且つ、ハンドル支持部の裏側の隙間調節および傾き調節が低コストで容易にできる簡易テーブルを提供することを目的としている。
本発明の簡易テーブルでハンドル固定部の両側部に対向する切込みあるいは切込案内線を設けたものは、使用者が経済的負担をそれほど感じることなく容易に調達できる紐状部材を使用するものであるので、紐状部材を添付せずに提供しても誰でも容易に使用することができ、提供コストを安価にできるという効果を得ることができる。
また、切り込みに紐状部材を二回りから三回り挟持させるだけの、誰でもできる簡単操作で緩みの起き難い状態に取付けることができ、且つ、簡単に取り外したり調節したり紐を変えたりなどのことが簡単にできるという効果を得ることができる。
また、両側部に切込や切込案内線を設けた隙間調節片を添付することにより、紐で該隙間調節片を適当な枚数テーブル支持部の裏側に取付け保持することができるので、低コスト且つ容易にハンドルの内側部位の突起を避けた取付けを可能とし、且つ、テーブル部の傾きを水平になるように調節するテーブル傾き調節手段としても使用できるという効果を得ることができる。
【０１１３】  
＜請求項１＞ ハンドル上に支持されるハンドル支持部と、このハンドル支持部にテーブル状態に支持されるテーブルぶと、前記ハンドル支持部の側部両側に対向するように設けられた切り込みやナイフなどで切り込みを正確容易に形成しやすくするための印刷線、凹ませ線などの切込案内線などからなる、切り込み形成状態において該切り込みに紐を挟持し前記ハンドル支持部に該紐を渡したり巻きつけたりした状態に保持するための紐挟持部とからなることを特徴とする簡易テーブル。
＜請求項２＞ ハンドル上に支持されるハンドル支持部と、
このハンドル支持部に該ハンドル支持部から離れないようにテーブル状態を保持するように支持されるテーブル部と、
前記ハンドル支持部に設けられた、前記テーブル部のテーブル状態を保持するための片挿入部と、
前記テーブル部に設けられたあるいはテーブル部に連絡する部位に設けられた、前記片挿入部に挿入され折部で折られあるいは曲げられてハンドルと前記ハンドル支持の間に直接にあるいは間接に略挟まれる形態からなる前記テーブル部のテーブル状態を保持し且つ前記ハンドル支持部から該テーブル部が離れないように保持するための挿入片とからなる簡易テーブル。
＜請求項３＞ 膝（腿を含む）に載せ置くことができる簡易テーブル、ノートパソコン、ノートパソコンなどのケース、鞄、バックなどの膝載せ体であって、膝載せ体本体と、この膝載せ体本体に設けられた該膝載せ体本体を膝に載せた状態で膝で挟持して該膝載せ体本体が安定的に膝上に載せ置くことができるようにする膝挟持部とからなることを特徴とする膝載せ体。
＜請求項４＞ ハンドル上に支持されるハンドル支持部と、このハンドル支持部にテーブル状態に支持されるテーブルぶと、前記ハンドル支持部の側部両側に対向するように設けられた切り込みやナイフなどで切り込みを正確容易に形成しやすくするための印刷線、凹ませ線などの切込案内線などからなる、切り込み形成状態において該切り込みに紐を挟持し前記ハンドル支持部に該紐を渡したり巻きつけたりした状態に保持するための紐挟持部と、
前記ハンドル支持部に設けられた、前記テーブル部のテーブル状態を保持するための片挿入部と、前記テーブル部に設けられたあるいはテーブル部に連絡する部位に設けられた、前記片挿入部に挿入され折部で折られあるいは曲げられてハンドルと前記ハンドル支持の間に直接にあるいは間接に略挟まれる形態からなる前記テーブル部のテーブル状態を保持し且つ前記ハンドル支持部から該テーブル部が離れないように保持するための挿入片と、前記テーブル部を助手席等で膝に載せた膝載せ体状態にして前記挿入片を下方に突き出させて膝挟持部として膝に挟持させることできるようにするための適宜な部位に設けられた下方突き出し用の片挿入部とからなることを特徴とする簡易テーブル。
【０１１４】  
【発明の効果】
以上の説明から明らかなように、本発明にあっては次に列挙する効果が得られる。
【０１１５】  
【０１１６】  
【０１１７】  
＜請求項１記載の発明の効果＞
それぞれが折部で区切られてなる、ハンドル上に支持されるハンドル支持・寄り掛け部、このハンドル支持・寄り掛け部の下部に設けられたテーブル下支持部、このテーブル下支持部によりテーブル状態を下方から支持されるテーブル部、このテーブル部の前記テーブル状態を前記ハンドル支持・寄り掛け部に係わって支持するためのテーブル上支持部とからなるテーブル本体と、前記ハンドル支持・寄り掛け部の上部に設けられた、ハンドルの上部の一部を略潜らせて該ハンドル支持・寄り掛け部を該ハンドル上に係止支持するためのハンドル略潜らせ係止部とでる簡易テーブルを構成しているので、
（１）  テーブル上支持部をクリップでハンドル支持・寄り掛け部に固定するあるいは面ファスナーを接着して係止するようにしても、従来技術に比べて大幅なコストダウンを実現し安価な簡易テーブルを実現するという効果を得ることができる。
（２）  ハンドルに広げ被せた状態では、ハンドル支持・寄り掛け部あるいはハンドル支持・寄り掛け部以外の他の部位がハンドルの略殆どを覆い、且つ、ハンドルを覆っていない部位がハンドル上部で前方に折れてハンドル前方のフロントを覆うような形態としたので、テーブル部といういう機能以外にもハンドルの日除け、フロントの略全体に被せて加熱防止、フロントに立てかけて車内への日の入射防止や目隠しなどとして使用できる大変使用勝手のある製品を実現するという効果を得ることができる。
（３）  図７４、図７５に示すような使用もでき、運転手のみならず、助手席者、後部座席者も腿において簡易テーブルとして使用できるものである。
（４）  ハンドル支持・寄り掛け部の上部にハンドルを潜らせるような形態で該ハンドル支持・寄り掛け部をハンドル前部に支持するためのハンドル略潜らせ係止部を設けた構成であるので、ハンドル上部のある程度の幅で支持されるので、上部のみの支持でもゆれるなどのことがおき難くテーブル部の水平状態が安定して状態にできるとともに傾いても簡単に修正できる、ハンドル上部をハンドル略潜らせ係止部に潜らせるだけの操作であるので、ハンドルへの脱着が容易に且つ敏速に行うことができ、脱着の煩わしさを感じさせないという効果を奏する。
【０１１８】  
＜請求項２記載の発明の効果＞  
請求項１記載の発明の構成において、ハンドル支持・寄り掛け部にテーブル部のテーブル状態を保持するための片挿入部を設け、テーブル部の一部に片挿入部に挿入され且つ前記ハンドル支持・寄り掛け部とハンドルに直接に間接に略挟まれて前記テーブル部の該ハンドル支持・寄り掛け部からの離れが起きないようにするためのテーブル上支持部である上部挿入片を設けてなる簡易テーブルを構成しているので、
テーブル本体をダンボール製とすることにより、一回打ち抜きの２部品ないし１部品からなる極めて安価な、ノベルティーとしても最適な簡易テーブルを実現している。
【０１１９】  
＜請求項３記載の発明の効果＞  
請求項２記載の発明の構成において、テーブル下支持部の根元側に上部挿入片を挿入する片挿入部を設け、前記テーブル支持部を腿に載せた状態において前記片挿入部から挿入され下方に突き出した前記上部挿入片が腿で挟むことができるようにしてなる簡易テーブルを構成しているので、
膝（腿）挟み部（挟持部）により、ノートパソコンを置いての作業および操作を助手席等では自動車の走行中においても安定的に行うことができ、集中した操作および作業ができる。
【０１２０】  
＜請求項４記載の発明の効果＞  
ハンドル上に支持されるハンドル支持・寄り掛け部、このハンドル支持・寄り掛け部に連絡された該ハンドル支持・寄り掛け部上に重なるテーブル上支持部である重なり部、この重なり部に連絡されたテーブル部、このテーブル部に折部で連絡された該テーブル部のテーブル状態を下方から支持するテーブル下支持部とからなるテーブル本体と、前記ハンドル支持・寄り掛け部に設けられた下片挿入部と、前記テーブル下支持部に設けられた前記下片挿入部に挿入されて該テーブル下支持部を支持する下部挿入片とで簡易テーブルを構成しているので、
（１）  重なり部が固定されたハンドル支持・寄り掛け部をハンドルに掛け、テーブル下支持部を持ち上げ下部挿入片を下片挿入部に挿入してテーブル部がテーブル状態となる。
（２）  テーブル本体を一枚の長方形の板部材で構成できるのでこのテーブル本体の一部品のみ、あるいは該テーブル本体をハンドルに固定あるいは係止する手段との２部品で簡易テーブルを構成できるので、部品コスト、製造コストの極めて小さい安価な自動車用テーブル部を実現できる、例えテーブル上支持部をクリップでハンドル支持・寄り掛け部に固定するあるいは面ファスナーを接着して係止するようにしても、従来技術に比べて大幅なコストダウンを実現し安価な簡易テーブルを実現するという効果を得ることができる。
また、自動車のフロント部分からハンドルにかけて、折部で折ってこれらを覆うように掛け置くことができ、ハンドルおよびフロントの一部に直射日光が当るのを防ぐ道具として使用できる、フロント略全体に被せ置いてフロントに直射日光が当るのを防ぐ道具として使用できる、あるいはフロントに立てかけて車内に日光が入るのを防ぐ道具として使用できるという効果を得ることができる。
【０１２１】  
＜請求項５記載の発明の効果＞  
ハンドル上に支持されるハンドル支持・寄り掛け部、このハンドル支持・寄り掛け部に連絡された該ハンドル支持・寄り掛け部上に重なるテーブル上支持部である重なり部、この重なり部に連絡されたテーブル部、前記ハンドル支持・寄り掛け部に折部で連絡された該テーブル部のテーブル状態を下方から支持するテーブル下支持部とからなるテーブル本体と、前記テーブル部に設けられた片挿入部と、前記テーブル下支持部に設けられた前記片挿入部に挿入されて前記テーブル部をテーブル状態に支持する挿入片とで簡易テーブルを構成しているので、
重なり部が固定されたハンドル支持・寄り掛け部をハンドルに掛け、テーブル部およびテーブル下支持部を起して挿入片を片挿入部に挿入してテーブル部がテーブル状態となる。
【０１２２】
＜請求項６記載の発明の効果＞
ハンドル上に支持されるハンドル支持・寄り掛け部と、このハンドル支持・寄り掛け部の左右側の対向する部位をカットして設けた左右の片挿入部と、前記ハンドル支持・寄り掛け部に折部で連絡され設けられたテーブル下支持部と、このテーブル下支持部に折り部で連絡され該テーブル下支持部で下方から支持されてテーブル状態となるテーブル部と、このテーブル部に折り部で連絡して設けられたテーブル支持部と、このテーブル支持部の左右側部に設けられた左右の片挿入部に折り入れられ且つハンドル支持・寄り掛け部の後ろ側に横向きに折りまわされる左右の上部挿入片とからなる簡易テーブルを構成している。
【０１２３】
＜請求項７記載の発明の効果＞
ハンドル上に支持されるハンドル支持・寄り掛け部と、このハンドル支持・寄り掛け部の左側および右側あるいはいずれか一方側に設けられた片挿入部と、前記ハンドル支持・寄り掛け部に折部で連絡され設けられたテーブル下支持部と、このテーブル下支持部に折り部で連絡され該テーブル下支持部で下方から支持されてテーブル状態となるテーブル部と、このテーブル部に折り部で連絡して左側および右側あるいはいずれか一方側に設けられた、前記片挿入部に折り入れられ且つハンドル支持・寄り掛け部の後ろ側に縦向きで折りまわされる上部挿入片と簡易テーブルを構成している。
【０１２４】
＜請求項８記載の発明の効果＞
請求項１〜７いずれか記載の発明の構成において、寄り掛け部２の側部両側に対向するように設けられた切り込みが設けられ、前記切り込みに紐が掛けられて形成されたハンドル略潜らせ係止部が設けられてなる簡易テーブルを構成しているので、
（１）  ハンドル支持・寄り掛け部に切込みからなる紐取付部・紐係止部を設けてこれに安価な紐を取付ける等極めて安価なものにできるとともに、ハンドルの太さ、大きさに合わせたハンドル略潜らせ係止部を紐の緩み具合で自在に形成でき、それによりテーブル部の設定したい高さを好みの位置に設定できること、ハンドル支持・寄り掛け部がダンボールの場合など紐を係止している切り口などが長い時間で深くなっても紐を結びなおしたり、係止しなおして簡単に修正できるとう効果を得ることができる。
（２）  ハンドル支持・寄り掛け部の両側部に切り込みからなる紐挟持部を設けてなる構成としたので、この両側の紐挟持部に紐を挟持しながら２〜３回ほど巻きつけるだけでハンドル潜らせ部を低コストで且つ容易に形成できるという効果をえることができる。また、この紐を数回挟持巻きつけることにより紐を結ばなくて良いので結び目を無くし且つ先端を運転者に見えない裏側にできるので見た目をよくできるという効果を得ることができる。また、両側部に切込みを設けた隙間調節片を添付することにより、紐で該隙間調節片を適当な枚数テーブル支持部の裏側に取付け保持することができるので、低コスト且つ容易にハンドルの内側部位の突起を避けた取付けを可能とし、且つ、テーブル部の傾きを水平になるように調節するテーブル傾き調節手段としても使用できるという効果を得ることができる。また、紐が表側にもあるので、手鏡を保持して化粧ができるなどという便利性などを実現するという効果を得ることができる。
【０１２５】
＜請求項９記載の発明の効果＞
請求項１〜８いずれか記載の発明の構成において、ハンドル支持・寄り掛け部の上部に孔からなるハンドル略潜らせ係止部を設けてなる簡易テーブルを構成している。
【０１２６】  
＜請求項１０記載の発明の効果＞
請求項１〜９いずれか記載の発明の構成において、ハンドル支持・寄り掛け部、テーブル下支持部、テーブル部が一枚の略長方形形状のダンボール製板部材で一体形成されてなる簡易テーブルを構成しているので、
材料費及び製造コストの極めて安価な製品を提供できること、再利用１００パーセントに近い安価なリサイクル材であること、軽量であり車内での移動が容易であること、さらに、車内の有害・臭気物質を酸化無害化する酸化チタンなどによる光触媒機能を持たせる場合、ダンボールの表面薄紙層を酸化チタンなどの光触媒粒子を担持させたものを容易安価に形成できるなどの効果を得ることができる。
【０１２７】  
＜請求項１１記載の発明の効果＞
請求項１〜１０いずれか記載の発明の構成において、タレントや歌手などの表象を含む広告等を施してなる簡易テーブルを構成しているので、
広告等を施して広告媒体としたものであるので、もらう等してもその便利性から殆ど捨てることなく自動車に搭載してたまに使用するものであることから、広告を使用者は繰り返し見ることになり最初は興味を示さない人でも興味を示したり、記憶に残るようになったりなど従来にないすぐれた広告媒体として機能するという効果を得ることができ、その広告機能の強さ優位性から高額な広告料を望めることができるという効果を得ることができる。
【０１２８】  
【０１２９】  
【０１３０】  
【０１３１】  
【０１３２】  
【０１３３】  
【０１３４】  
【０１３５】  
【０１３６】  
【０１３７】  
【０１３８】  
【図面の簡単な説明】
【図１】本発明の第１の実施の形態の展開図。
【図２】本発明の第１の実施の形態の取付け状態表斜視図。
【図３】本発明の第１の実施の形態の使用状態表斜視図。
【図４】本発明の第１の実施の形態の取付け状態裏斜視図。
【図５】本発明の第１の実施の形態の二つ折り斜視図。
【図６】本発明の第１の実施の形態のハンドルに被せた斜視図。
【図７】本発明の第２の実施の形態の取付け状態表斜視図。
【図８】本発明の第３の実施の形態の展開図。
【図９】本発明の第３の実施の形態の取付け状態表斜視図。
【図１０】本発明の第４の実施の形態の展開図。
【図１１】本発明の第４の実施の形態の取付け状態表斜視図。
【図１２】本発明の第５の実施の形態の展開図。
【図１３】本発明の第５の実施の形態の取付け状態表斜視図。
【図１４】本発明の第６の実施の形態の展開図。
【図１５】本発明の第６の実施の形態の使用状態表斜視図。
【図１６】本発明の第７の実施の形態の展開図。
【図１７】本発明の第７の実施の形態の取付け状態表斜視図。
【図１８】本発明の第８の実施の形態の取付け状態表斜視図。
【図１９】本発明の第９の実施の形態の表面図。
【図２０】本発明の第９の実施の形態の取付け状態表斜視図。
【図２１】本発明の第１０の実施の形態の展開図。
【図２２】本発明の第１０の実施の形態の取付け状態表斜視図。
【図２３】本発明の第１０の実施の形態の他の取付け状態表斜視図。
【図２４】本発明の第１１の実施の形態の展開図。
【図２５】本発明の第１１の実施の形態の取付け状態表斜視図。
【図２６】本発明の第１２の実施の形態の展開図。
【図２７】本発明の第１２の実施の形態の取付け状態側面図。
【図２８】本発明の第１３の実施の形態の展開図。
【図２９】本発明の第１３の実施の形態の取付け状態斜視図。
【図３０】本発明の第１３の実施の形態の他の取付け状態斜視図。
【図３１】本発明の第１４の実施の形態の展開図。
【図３２】本発明の第１４の実施の形態の取付け状態側面図。
【図３３】本発明の第１５実施の形態の展開図。
【図３４】本発明の第１５の実施の形態の取付け状態側面図。
【図３５】本発明の第１６の実施の形態の取付け状態斜視図。
【図３６】本発明の第１７の実施の形態の取付け状態斜視図。
【図３７】本発明の第１８の実施の形態の展開図。
【図３８】本発明の第１８の実施の形態の取付け状態斜視図。
【図３９】本発明の第１９の実施の形態の取付け状態斜視図。
【図４０】本発明の第２０実施の形態の展開図。
【図４１】本発明の第２０の実施の形態の取付け状態側面図。
【図４２】本発明の第２１実施の形態の展開図。
【図４３】本発明の第２２の実施の形態の展開図。
【図４４】本発明の第２２の実施の形態の取付け状態側面図。
【図４５】本発明の第２３の実施の形態の展開図。
【図４６】本発明の第２３の実施の形態の取付け状態斜視図。
【図４７】本発明の第２４の実施の形態の展開図。
【図４８】本発明の第２４の実施の形態の取付け状態側面図。
【図４９】本発明の第２４の実施の形態の使用状態斜視図。
【図５０】本発明の第２５の実施の形態の展開図。
【図５１】本発明の第２５の実施の形態の取付け状態側面図。
【図５２】本発明の第２６の実施の形態の展開図。
【図５３】本発明の第２７の実施の形態の展開図。
【図５４】本発明の第２７の実施の形態の取付け状態側面図。
【図５５】本願出願人が発明したところの第２８の実施の形態の展開図。
【図５６】本願出願人が発明したところの第２８の実施の形態の組立て斜視図。
【図５７】本願出願人が発明したところの第２９の実施の形態の使用状態側面図。
【図５８】本願出願人が発明したところの第３０の実施の形態の使用状態側面図。
【図５９】本願出願人が発明したところの第３１の実施の形態の展開図。
【図６０】本願出願人が発明したところの第３２の実施の形態の展開図。
【図６１】本願出願人が発明したところの第３２の実施の形態の組立て使用状態側面図。
【図６２】本願出願人が発明したところの第３３の実施の形態の展開図。
【図６３】本願出願人が発明したところの第３３の実施の形態の組立て側面図。
【図６４】本願出願人が発明したところの第３４の実施の形態の展開図。
【図６５】本願出願人が発明したところの第３４の実施の形態の組立て使用正面図。
【図６６】本願出願人が発明したところの第３４の実施の形態の組立て使用側面図。
【図６７】本願出願人が発明したところの第３５の実施の形態の展開図。
【図６８】本願出願人が発明したところの第３５の実施の形態の組立て使用側面図。
【図６９】本願出願人が発明したところの第３５の実施の形態の組立て逆立ち使用側面図。
【図７０】本願出願人が発明したところの第３６の実施の形態の展開図。
【図７１】本願出願人が発明したところの第３６の実施の形態の組立て使用側面図。
【図７２】本願出願人が発明したところの実施の形態の組立て逆さ取付け吸盤張り付け使用側面図。
【図７３】本発明の第３７の実施の形態の展開図。
【図７４】本発明の第３７の実施の形態の運転席での使用状態例を示す斜視図。
【図７５】本発明の第３７の実施の形態の助手席での使用状態例を示す斜視図。
【図７６】本発明の第３８の実施の形態の展開図。
【図７７】本発明の第３９の実施の形態の展開図。
【図７８】本発明の第３９の実施の形態の後部座席での使用状態例を示す斜視図。
【図７９】本発明の第４０の実施の形態の展開図。
【図８０】本発明の第４１の実施の形態の展開図。
【図８１】本願出願人が発明したところの第４２の実施の形態の展開図。
【図８２】本願出願人が発明したところの第４２の実施の形態の組立て側面図。
【図８３】本願出願人が発明したところの第４３の実施の形態の展開図。
【図８４】本願出願人が発明したところの第４３の実施の形態の組立て断面図。
【図８５】本願出願人が発明したところの第４４の実施の形態の正面図。
【図８６】本願出願人が発明したところの第４４の実施の形態の組立て側面図。
【図８７】本願出願人が発明したところの第４５の実施の形態の正面図。
【図８８】本願出願人が発明したところの第４６の実施の形態の正面図および組立て側面図。
【図８９】本願出願人が発明したところの第４７の実施の形態の展開図。
【図９０】本願出願人が発明したところの第４７の実施の形態の運転席での使用状態例を示す斜視図。
【図９１】本願出願人が発明したところの第４８の実施の形態の運転席での使用状態例を示す斜視図。
【図９２】本願出願人が発明したところの第４９の実施の形態の展開図。
【図９３】本願出願人が発明したところの第４９の実施の形態の運転席での使用状態例を示す斜視図。
【図９４】本願出願人が発明したところの第５０の実施の形態の展開図。
【図９５】本発明の第５０の実施の形態の助手席での使用状態例を示す斜視図。
【図９６】本発明の第５１の実施の形態の展開図。
【図９７】本発明の第５１の実施の形態の運転席での使用状態例を示す斜視図。
【図９８】本発明の第５１の実施の形態の助手席での使用状態例を示す斜視図。
【図９９】本発明の第５１の実施の形態の後部座席での使用状態例を示す斜視図。
【図１００】本願出願人が発明したところの第５２の実施の形態の展開図。
【図１０１】本願出願人が発明したところの第５２の実施の形態の組立て使用状態例を示す側面図。
【図１０２】本願出願人が発明したところの第５３の実施の形態の展開図。
【図１０３】本願出願人が発明したところの第５４の実施の形態の展開図。
【図１０４】本願出願人が発明したところの第５５の実施の形態の展開図。
【図１０５】本願出願人が発明したところの第５６の実施の形態の展開図。
【図１０６】本願出願人が発明したところの第５６の実施の形態の組立て側面図。
【図１０７】本願出願人が発明したところの第５７の実施の形態の展開図。
【図１０８】本願出願人が発明したところの第５７の実施の形態の組立て側面図。
【図１０９】本願出願人が発明したところの第５８の実施の形態の展開図。
【図１１０】本願出願人が発明したところの第５８の実施の形態の使用状態を示す組立て側面図。
【図１１１】本願出願人が発明したところの第５９の実施の形態の展開図。
【図１１２】本願出願人が発明したところの第５９の実施の形態の組立て側面図。
【図１１３】本願出願人が発明したところの第６０の実施の形態の展開図。
【図１１４】本願出願人が発明したところの第６１の実施の形態の平面図。
【図１１５】本願出願人が発明したところの第６１の実施の形態のｋ−ｋ切断断面図。
【図１１６】本願出願人が発明したところの第６２の実施の形態の平面図。
【図１１７】本願出願人が発明したところの第６３の実施の形態の平面図。
【図１１８】本願出願人が発明したところの第６４の実施の形態の底側から見た斜視図。
【図１１９】本願出願人が発明したところの第６５の実施の形態の斜視図。
【図１２０】本願出願人が発明したところの第６６の実施の形態の展開図。
【図１２１】本願出願人が発明したところの第６６の実施の形態の使用状態斜視図。
【図１２２】本願出願人が発明したところの第６６の実施の形態の使用状態斜視図。
【図１２３】本願出願人が発明したところの第６７の実施の形態の展開図。
【図１２４】本願出願人が発明したところの第６７の実施の形態の使用状態側面図。
【図１２５】本願出願人が発明したところの第６８の実施の形態の使用状態側面図。
【図１２６】本願出願人が発明したところの第６８の実施の形態の使用状態側面図。
【図１２７】本願出願人が発明したところの第６９の実施の形態の使用状態側面図。
【図１２８】本願出願人が発明したところの第６９の実施の形態の使用状態側面図。
【図１２９】本願出願人が発明したところの第７０の実施の形態の使用状態側面図。
【図１３０】本願出願人が発明したところの第７１の実施の形態の使用状態側面図。
【図１３１】本願出願人が発明したところの第７１の実施の形態のケース形態にいてノートパソコを収納した側面図。
【図１３２】本願出願人が発明したところの第７１の実施の形態の使用状態側面図。
【図１３３】本願出願人が発明したところの第７２の実施の形態の展開図。
【図１３４】本願出願人が発明したところの第７３の実施の形態の展開図および使用状態側面図。
【図１３５】本願出願人が発明したところの第７４の実施の形態の展開図および使用状態側面図。
【図１３６】本発明の第７５の実施の形態の展開図。
【図１３７】本願出願人が発明したところの第７６の実施の形態の展開図。
【図１３８】本願出願人が発明したところの第７７の実施の形態の展開図。
【図１３９】本願出願人が発明したところの第７７の実施の形態の使用状態側面図。
【図１４０】本願出願人が発明したところの第７８の実施の形態の展開図および使用状態側面図。
【図１４１】本発明の第７９の実施の形態の展開表面図。
【図１４２】本発明の第７９の実施の形態の隙間調節片と紐をセットした状態の展開裏面図。
【図１４３】本発明の第７９の実施の形態の使用状態側面図。
【図１４４】本発明の第８０の実施の形態の展開図。
【符号の説明】
１：簡易テーブル
２：ハンドル支持・寄り掛け部
３：折部
４：テーブル下支持部
５：折部
６：テーブル部
７：折部
８：テーブル上支持部
９：テーブル本体
１０：ハンドル略潜らせ係止部
１１：紐
１２：切り込み
１３：切り込み
１４：片挿入部
１５：片挿入部
１６：折部
１７：上部挿入片
１８：表面
１９：重なり部
２０：重なり部
２１：裏面
２２：簡易テーブル
２３：クリップ
２４：クリップ
２６：簡易テーブル
２７：ハンドル支持・寄り掛け部
２８：重なり部
２９：重なり部
３０：折部
３１：テーブル部
３２：折部
３３：テーブル下支持部
３４：テーブル本体
３５：下片挿入部
３６：下部挿入片
３７：上片挿入部
３８：上部挿入片
４０：簡易テーブル
４１：片挿入部
４２：片挿入部
４３：上部挿入片
４４：上部挿入片
４６：簡易テーブル
４７：ハンドル支持・寄り掛け部
４８：テーブル側体
４９：ハンドル略潜らせ係止部
５０：折部
５１：折部
５２：片
５４：簡易テーブル
５５：本支持部
５６：本支持部
５８：簡易テーブル
５９：テーブル下支持部
６０：嵌合部
６２：簡易テーブル
６３：テーブル下支持部
６４：テーブル下支持部
６５：嵌合部
６６：嵌合部
７０：簡易テーブル
７１：ハンドル支持・寄り掛け部
７２：折部
７３：折部
７４：テーブル部
７５：テーブル支持部
７６：折部
７７：上部支持部
７８：折部
７９：下部支持部
８０：折部
８２：簡易テーブル
８３：ハンドル支持・寄り掛け部
８４：折部
８５：テーブル部
８６：寄り掛け部側係止部
８７：寄り掛け部側係止部
８８：紐状部材
８９：テーブル側係止部
９０：テーブル側係止部
９１：本支持部
９２：テーブル本体
９３：止鍔
９４：多鍔付き紐状部材
９６：簡易テーブル
９７：紐
９８：紐
１００：簡易テーブル
１０１：片挿入部
１０２：片挿入部
１０４：簡易テーブル
１０５：ハンドル支持・寄り掛け部
１０６ａ〜１０６ｄ：切り込み
１０７ａ〜１０７ｄ：切り込み
１０８：テーブル側体
１０９：左支持部
１１０：右支持部
１１１：本支持部
１１２：切り込み
１１３：切り込み
１１６：簡易テーブル
１１７：ドリンク支持部
１１８：開口部
１１９：切り込み
１２０：切り込み
１２１：片挿入部
１２３：簡易テーブル
１２４：ハンドル支持・寄り掛け部
１２５：テーブル下支持部
１２６：テーブル部
１２７：蝶番
１２８：折部
１２９：折部
１３０：切り込み
１３１：切り込み
１３２：面ファスナー
１３３：面ファスナー
１３４：ストッパー
１３７：簡易テーブル
１３８：ハンドル支持・寄り掛け部本体
１３９：ハンドル略潜らせ係止部
１４０：テーブル下支持
１４１：ハンドル支持・寄り掛け部
１４２：テーブル本体
１４３：側棒
１４４：側棒
１４５：側棒支持溝
１４６：側棒支持溝
１４７：低部支持溝
１４８：テーブル部
１５０：簡易テーブル
１５１：ハンドル略潜らせ係止部
１５２：胴縁
１５５：簡易テーブル
１５６：片挿入部
１５７：片挿入部
１５８：テーブル支持部
１５９：上部挿入片
１６０：上部挿入片
１６２：簡易テーブル
１６３：折部
１６５：簡易テーブル
１６６：テーブル側体
１６７ａ〜１６７ｃ：切り込み
１６８ａ〜１６８ｃ：切り込み
１６９：折部
１７０：切り込み
１７１：切り込み
１７２：切り込み
１７５：簡易テーブル
１７６：ハンドル略潜らせ係止部
１７７：ハンドル略潜らせ係止部
１７８：折り部
１７９：折り部
１８０：折り部
１８３：簡易テーブル
１８４：折片
１８５：折片
１８６：折片
１８７：ドリンク支持部
１８８：ストッパー
１９０：簡易テーブル
１９１：片挿入部
１９２：挿入片
１９５：簡易テーブル
１９６：テーブル側体
１９７：遮蔽部
１９８：遮蔽部付き固定部
１９９：挿入片
２００：片挿入部
２０１：片挿入部
２０５：簡易テーブル
２０６：下片挿入部
２０７：下部挿入片
２０８：ドリンク支持部
２０９：本支持部
３１０：簡易テーブル
３１１：開口部
３１２：放射状支持片部
３２７：簡易テーブル
３２８：壁支持部
３２９：折部
３３０：第１の支持部
３３１：折部
３３２：第２の支持部
３３３：折部
３３４：挿入支持片
３３５：挿入支持片
３３６：片挿入孔
３３７：片挿入孔
３３８：開口部
３３９：折部
３４０：固定手段
３４１：刃挿入孔
３４２：刃挿入孔
３４３：簡易棚
３４４：簡易棚
３４６：小突起
３４７：突起嵌合孔
３４８：簡易棚
３５０：簡易棚
３５１：上部片挿入部
３５２：下部片挿入部
３５３ａ、３５３ｂ、３５３ｃ：棚支持部
３５４：壁支持部
３５５：棚部
３５６：棚部
３５８：壁支持部
３５９：写真
３６０：カレンダー
３６１：片挿入孔
３６２：挿入支持片
３６３：弱粘着部
３６４：簡易棚
３６５：広告等表示部
３７０：小棚
３７１：小棚
３７２：簡易棚
３７３：折部
３７４：第２の支持部
３７５：折部
３７６：第１の支持部
３７７：固定片部
３７８：カレンダー
３８０：固定片
３８１：固定片
３８２：挿入支持片
３８３ａ、３８２ｂ、３８３ｃ：片挿入孔
３８４：鋲打ち穴
３８５：簡易棚
３８６：吸着盤鋲
３８７：吸着鋲等打ち穴
３８８：吸着盤
３８９：支持部
３９０：壁支持部
３９１：小棚
３９２：固定手段
３９３：挿入孔
３９４：簡易棚
３９５：両面多数小吸盤体
３９６：抑えフランジ
３９７：摘み部
３９９：突出部
４００：切り込み
４０１：切り込み
４０２：簡易テーブル
４０３：ドリンクホルダー孔
４０４：片挿入部
４０５：紐
４０６：ストップボタン
４０８：紐取付け板
４０９：紐取付け板
４１０：片挿入部
４１１：簡易テーブル
４１３：ハンドル係止板
４１４：簡易テーブル
４１５：ハンドル係止部
４１６：簡易テーブル
４１７：折部
４１８：折部
４１９：持ち上がり部
４２０：支持片
４２１：支持片
４２３：嵌合孔
４２４：嵌合突起
４２５：簡易棚
４２７：支持片
４２８：嵌合溝
４２９：支持片収め凹み
４３０：嵌合突起
４３１：簡易棚
４３２：壁固定片
４３３：顎付溝
４３４：顎付溝
４３５：持ち上がり部
４３６：固定部
４３７：フック掛け部
４３８：腿（膝）挟持部
４３９：粘着部
４４０：カレンダー
４４１：記入カレンダー部
４４２：粘着部
４４３：開口部
４４６：カレンダー
４４７：挿入片
４４８：片挿入孔
４５０：カレンダー
４５１：ペン置き部
４６０：簡易テーブル
４６１：テーブル部
４６２：折部
４６３：寄り掛け部
４６４：切り込み
４６５：紐
４６６：簡易テーブル
４７７：折部
４７８：腿挟み片
４７９：簡易テーブル
４８０ａ、４８０ｂ：広告等
４８１：折部
４８２：腿載せ部
４８３：折部
４８４：片挿入支持部
４８５：横ずれ防止部
４８６：腿挟み
４８７：ドリンクホルダー孔
４８８：ドリンクホルダー孔
４８９：挿入片
４９０：本支持部
４９１：本支持部
４９２：切り込み案内凹
４９３：片挿入部形成案内線
４９５：片挿入支持部
４９６：片挿入部
４９７：挿入片
４９８：簡易テーブル
５００：立ち縁部
５０１：簡易テーブル
５０３：下方突出部
５０４：下方突出部
５０５：簡易テーブル
５０６：下方突出部
５０７：簡易テーブル
５０９：簡易テーブル
５１０：片挿入部
５１１：折部
５１２：間隔形成手段
５１３：挿入片
５１５：縁部
５１６：簡易テーブル
５２１：嵌合部
５２２：腿挟み片
５２３：簡易テーブル
５２５：挿入片
５２６：片挿入部
５２７：片挿入部
５２８：間隔形成手段
５２９：簡易テーブル
５３０：折部
５３１：テーブル支持部
５３２：挿入片
５３３：挿入片
５３４：挿入片
５３５：片挿入部
５３６：片挿入部
５３７：片挿入部
５３８：簡易テーブル
５４０：腿挟み片
５４１：書見台
５４２：簡易テーブル
５５０：簡易テーブル
５５１：底板部
５５２：囲い部
５５３：ドリンク等置き穴
５５４：ドリンク等置き穴
５５５：ドリンク等置き支持部
５５６：折部
５５７：腿挟持部
５５８：腿挟持部
５５９：支持部
５６２：腿挟持部
５６３：簡易テーブル
５６５：抜け防止部
５６６：腿挟持部
５６７：簡易テーブル
５７０：膝載せ体
５７１：膝載せ体本体
５７２：膝挟持片
５７３：膝挟持片
５７４：膝挟持片
５７５：オス面ファスナー
５７６：メス面ファスナー
５７７：固定部
５８０：膝載せ体
５８１：膝載せ体
５８２：膝挟持片
５８３：収納部
５９０：膝載せ体
５９１：折部
５９２：膝載せ部
５９３：テーブル部
５９４：折部
５９５：膝挟持片
５９６：折部
５９７：テーブル上げ支持部
５９８：挿入突き出し部
５９９：テーブル上げ縁形成部
６００：片挿入孔
６０１：ドリンクホルダー孔
６０２：顎
６０４：テーブル上げ支持
６０５：膝載せ体
６０６：片挿入孔
６０９：膝載せ体
６１２：膝載せ体
６１３：折部
６１４：膝挟持片
６１５：テーブル上げ支持部
６１６：挿入突き出し部
６１７：片挿入孔
６１８：テーブル上げ縁形成部
６１９：手提げ用孔
６２０：手提げ用孔
６２５：折部
６２６：底部
６２７：小物入れ部
６２８：膝載せ体
６２９：ファスナー
６３２：膝載せ体
６３３：側壁形成部
６３４：折部
６３５：側壁支持孔
６３７：膝載せ体
６３８：膝載せ
６３９：折部
６４２：折お越し部
６４４：膝挟持片
６４５：膝載せ体
６５０ａ、６５０ｂ：切り込み
６５１ａ、６５１ｂ：切り込み
６５２ａ、６５２ｂ：切り込み
６５３：切り込み
６５４：簡易テーブ
６５５：紐
６５６：紐
６５７：紐
６６０：開口部
６６１：折部
６６２：膝挟持片
６６３：膝載せ体
６６５：膝載せ体
６６６：膝挟持片
６６７：折部
６６８：膝挟持片
６７０：折部
６７１：高さ調節片
６７２：膝載せ体
６８０ａ、６８０ｂ：切り込み
６８１：隙間調節片
６８２：切り離し線
６８３ａ、６８３ｂ：切込案内線
６８４ａ、６８４ｂ：切込案内線
６８５ａ、６８５ｂ：切込案内線
６８６ａ、６８６ｂ：切込案内線
６８７ａ、６８７ｂ：切込案内線
６８８ａ、６８８ｂ：切込案内線
６８９：簡易テーブル
６９３ａ、６９３ｂ：挿入片
６９４ａ、６９４ｂ：片挿入孔
６９５ａ、６９５ｂ：片挿入孔
６９６ａ、６９６ｂ：片挿入孔
６９７：簡易テーブル